(57)【特許請求の範囲】
【請求項１】
無線通信システムに関する方法において、
アップリンクチャネルに関する変調タイプを決定することと、
第１の変調タイプと所定の関連を有したＰＡＲバックオフ値を決定することと、
複数のＭＩＭＯアンテナストリームの各々に関する対応する変調タイプに関連した対応するＰＡＲバックオフ値に少なくとも一部分基づいて前記複数のＭＩＭＯアンテナストリームの各々に関する送信電力とレートを適用することと、
を具備する方法。
【請求項２】
前記送信電力とレートの決定は前記ＭＩＭＯアンテナストリームの仮想アンテナマッピングにも基づく、請求項１の方法。
【請求項３】
前記送信電力とレートの決定は前記ＭＩＭＯアンテナストリームのアンテナパーミュテイション(antenna permutation)にも基づく、請求項１の方法。
【請求項４】
前記送信電力およびレートの決定はＭＩＭＯプリコーディングマトリクス(pre-coding matrix)にも基づく、請求項１の方法。
【請求項５】
無線通信システムにおいて動作可能な装置において、
アップリンクチャネルに関する変調タイプを決定する手段と、
第１の変調タイプと所定の関連を有したＰＡＲバックオフ値を決定する手段と、
複数のＭＩＭＯアンテナストリームの各々に関する対応する変調タイプに関連した対応するＰＡＲバックオフ値に少なくとも一部分基づいて前記複数のＭＩＭＯアンテナストリームの各々に関する送信電力とレートを適用する手段と、
を具備する装置。
【請求項６】
前記送信電力とレートの決定は前記ＭＩＭＯアンテナストリームの仮想アンテナマッピングにも基づく、請求項５の装置。
【請求項７】
前記送信電力とレートの決定は前記ＭＩＭＯアンテナストリームのアンテナパーミュテイション(antenna permutation)にも基づく、請求項５の装置。
【請求項８】
前記送信電力およびレートの決定はＭＩＭＯプリコーディングマトリクス(pre-coding matrix)にも基づく、請求項５の装置。
【請求項９】
機械により実行されると前記機械に下記を含む動作を実行させる命令を具備する機械読み取り可能記録媒体において、前記命令は、
前記機械に、アップリンクチャネルに関する第１の変調タイプを決定させる命令と、
前記機械に、前記第１の変調タイプと所定の関連を有するＰＡＲバックオフ値を決定する命令と、
前記機械に、複数のＭＩＭＯアンテナストリームの各々に関する対応する変調タイプに関連した対応するＰＡＲバックオフ値に少なくとも一部分基づいて前記複数のＭＩＭＯアンテナストリームの各々に関する送信電力とレートを適用させる命令と、
を具備する機械読み取り可能記録媒体。
【請求項１０】
前記送信電力とレートの決定は前記ＭＩＭＯアンテナストリームの仮想アンテナマッピングにも基づく、請求項９の機械読み取り可能記録媒体。
【請求項１１】
前記送信電力とレートの決定は前記ＭＩＭＯアンテナストリームのアンテナパーミュテイション(antenna permutation)にも基づく、請求項９の機械読取可能記録媒体。
【請求項１２】
前記送信電力およびレートの決定はＭＩＭＯプリコーディングマトリクス(pre-coding matrix)にも基づく、請求項９の機械読取可能記録媒体。
【請求項１３】
無線通信システムにおいて動作可能な装置において、
アップリンクチャネルに関する第１の変調タイプを決定し、
前記第１の変調タイプと所定の関連を有するＰＡＲバックオフ値を決定し、
複数のＭＩＭＯアンテナストリームの各々に関する対応する変調タイプに関連した対応するＰＡＲバックオフ値に少なくとも一部分基づいて前記複数のＭＩＭＯアンテナストリームの各々に関する送信電力とレートを適用する、
ように構成されたプロセッサと、
前記プロセッサに接続されデータを記憶するメモリと、
を具備する装置。
【請求項１４】
前記送信電力とレートの決定は前記ＭＩＭＯアンテナストリームの仮想アンテナマッピングにも基づく、請求項１３の装置。
【請求項１５】
前記送信電力とレートの決定は前記ＭＩＭＯアンテナストリームのアンテナパーミュテイション(antenna permutation)にも基づく、請求項１３の装置。
【請求項１６】
前記送信電力およびレートの決定はＭＩＭＯプリコーディングマトリクス(pre-coding matrix)にも基づく、請求項１３の装置。
【発明の詳細な説明】
【関連出願のクロスリファレンス】
【０００１】
この出願は、２００６年１１月６日に出願された「ＰＡＲ考察を備えたＵＬ  ＭＩＭＯ／ＳＩＭＯ  動作のための電力割り当ておよびレート選択のための方法および装置」"A METHOD AND APPARATUS FOR POWER ALLOCATION AND RATE SELECTION FOR UL MIMO/SIMO OPERATIONS WITH PAR CONSIDERATIONS"というタイトルの米国仮出願シリアル番号第６０／８６４，５７３の優先権を主張する。上述した出願の全体が参照されることにより本明細書に組み込まれる。
【技術分野】
【０００２】
以下の記載は一般に無線通信に関し、特に電力調節のための機構を提供することに関する。
【背景技術】
【０００３】
無線通信システムは、例えば、音声、データ等のような種々のタイプの通信コンテンツを供給するために広範囲に展開されている。典型的な無線通信システムは、利用可能なシステムリソース（例えば、帯域幅、送信電力、・・・）を共有することにより複数のユーザとの通信をサポートすることができる多重アクセスシステム(multiple-access system)であってもよい。そのような多重アクセスシステムの例は、符号分割多元接続（ＣＤＭＡ）システム、時分割多元接続（ＴＤＭＡ）システム、周波数分割多元接続（ＦＤＭＡ）システム、３ＧＰＰＬＴＥシステム、直交周波数分割多重（ＯＦＤＭ）、ローカライズド(localized)周波数分割多重（ＬＦＤＭ）、直交周波数分割多元接続（ＯＦＤＭＡ）システム等を含んでいてもよい。
【０００４】
一般に、無線多元接続通信システムは、複数の無線端末のための通信を同時にサポートすることができる。各端末はフォワードリンクおよびリバースリンク上の送信を介して１つまたは複数の基地局と通信する。フォワードリンク（またはダウンリンク）は、基地局から端末への通信リンクを指し、リバースリンク（またはアップリンク）は端末から基地局への通信リンクを指す。この通信リンクは、単一入力単一出力（ＳＩＳＯ）、多入力単一出力（ＭＩＳＯ）、または多入力多出力（ＭＩＭＯ）システムを介して確立されてもよい。
【０００５】
ＭＩＭＯシステムはデータ送信のために複数（ＮT）の送信アンテナと複数（ＮR）の受信アンテナを採用する。ＮTの送信アンテナとＮRの受信アンテナにより形成されるＭＩＭＯチャネルは、ＮSの独立したチャネルに分解されてもよい。これは空間チャネルとも呼ばれ、ＮS＜min｛ＮT,ＮR}である。ＮSの独立したチャネルの各々は次元(dimension)に相当する。複数の送信アンテナおよび受信アンテナにより作られたさらなる次元性(dimensionalities)が利用されるなら、ＭＩＭＯシステムは、改良された性能（例えば、より高いスループットおよび／またはより大きな信頼性）を提供することができる。
【０００６】
ＭＩＭＯシステムは、時分割複信（time division duplex)（ＴＤＤ）および周波数分割複信(frequency division duplex)（ＦＤＤ）システムをサポートする。ＴＤＤシステムでは、フォワードおよびリバースリンク送信は同じ周波数領域上であるので、レシプロシティプリンシプル(reciprocity principle)はリバースリンクからフォワードリンクの推定を可能にする。
【０００７】
無線通信システムでは、ノードＢ（または基地局）はデータをダウンリンク上のユーザ機器（ＵＥ）に送信してもよいし、および／またはアップリンク上のＵＥからデータを受信してもよい。ダウンリンク（またはフォーワードリンク）は、ノードＢからＵＥへの通信リンクを指し、アップリンク（またはリバースリンク）は、ＵＥからノードＢへの通信リンクを指す。また、ノードＢは制御情報（例えば、システムリソースの割り当て）をＵＥに送信してもよい。同様に、ＵＥはダウンリンク上のデータ送信をサポートするためにおよび／または他の目的のために制御情報をノードＢに送信してもよい。
【０００８】
オープンループ(open loop)ＭＩＭＯシステムの場合、送信機は、ＭＩＭＯチャネル状態(channel conditions)を知らない。従って、最適な電力割り当ては、すべての送信アンテナに沿った電力の均一な分配である。ストリームごとにサポート可能なレート、最小平均２乗誤差（ＭＭＳＥ）検出、および連続的干渉キャンセレーション(successive interference cancellation)（ＳＩＣ，集合的にＭＭＳＥ−ＳＩＣ）のように、限定されたフィードバックの場合、受信機は、容量獲得スキーム(capacity achieving schemes)であるように証明されることができる。これが、ＰＡＲＣ（アンテナごとのレート制御）システムの基礎である。代替ＭＩＭＯスキームは、４つの空間チャネルを効率的にイコライズするレイヤパーミュテイション(layer permutation)を含む。レイヤパーミュテイションはユニタリ変換(unitary transformation)であるので、このスキームも容量獲得であることを容易に示すことができる。実際には、これがＶＡＰ（仮想アンテナパーミュテイション）の基礎である。これらのスキームの両方において、均等な電力割り当てが送信機において使用される。
【０００９】
しかしながら、アップロードまたはアップリンク（ＵＬ）ＭＩＭＯ送信の場合、均等な電力割り当ては、ピーク対平均比考察の制約のために均等な電力割り当てはもはや実現可能ではない。すべての送信アンテナから同じ最大電力を送信することはいくつかの増幅器（複数の場合もある）を非線形領域で駆動させ高い信号歪みを惹き起こすかもしれない。
【発明の概要】
【００１０】
以下は、実施形態の基本的理解を提供するために１つまたは複数の実施形態の簡単化された要約を提示する。この要約は、すべての意図された実施形態の広範囲に及び要旨ではなく、すべての実施形態のキーエレメントまたは重要なエレメントを特定することを意図したものではないし、任意のまたはすべての実施形態の範囲を表すことを意図したものでもない。その唯一の目的は、後で提示されるより詳細な記載の前置きとして簡単化された形で１つまたは複数の実施形態のいくつかの概念を提示することである。
【００１１】
１つの観点に従って、無線通信システムの方法は、ピーク対平均（ＰＡＲ）バックオフ(back off)値を受信することと、電力割り当て（ＰＡ）値のような電力値を決定するために受信したＰＡＲバックオフ値を適用することを含む。１つの観点に従って、ＰＡＲバックオフ値は少なくとも部分的に変調タイプに基づいている。他の観点において、方法は、ＵＬ送信のレートを決定することを含む。他の観点において、ＰＡＲバックオフ値は、少なくとも部分的に変調タイプに基づいており、ＱＰＳＫよりも６４ＱＡＭに関してより大きい。異なるＵＬ  ＭＩＭＯスキームのための電力割り当てアルゴリズムは以下のように記載される。アンテナパーミュテイション(antenna permutation)（例えば、アンテナごとのレート制御  ＰＡＲＣ）を伴わない電力割り当て（ＰＡ）：異なるアンテナストリームに対して電力を割当てるとき、異なる変調スキームに対して異なるＰＡＲバックオフ値を考察することができる。異なるＰＡバックオフは、ＱＰＳＫおよびＱＡＭのような異なる変調に対して適用されるべきである。それゆえ、異なるレイヤが異なる変調次数(order)を使用するなら、電力割り当ては異なるであろう。アンテナパーミュティション（例えば、バーチャルアクセスポイント(virtual access point)ＶＡＰ）を伴う電力割り当て：
異なるレイヤに対して同じ変調次数が選択されるなら、その変調次数のためのバックオフファクタ(back off factor)に従ってＰＡバックオフは選択されることができる。
【００１２】
異なる変調次数が選択されるなら、ＰＡバックオフは、パーミュートされたストリーム(permuted stream）からのＰＡＲバックオフ値に基づいて選択されることができる。
【００１３】
１つの観点において、ＰＡＲ考察を用いた(with  PAR considerations)レート決定アルゴリズムは、以下のように記載される。１つの観点において、ノードＢにより制御される集中型の(centralized)レート決定が考察される。１つのアンテナからのチャネル品質インデックス（ＣＱＩ）は基準信号(reference signal)として電力制御される。他のアンテナからのチャネル条件は、すべてのアンテナからのブロードバンドパイロットまたはリクエストチャネルの特別設計に基づいて導き出されることができる。言い換えれば、ＭＩＭＯチャネルサウンディング(MIMO channel sounding)は、周期的にすべてのアンテナからブロードバンドパイロットを送信するかまたは異なるアンテナからリクエストチャネルを送信することにより得られる。ブロードバンドパイロットシンボルは、シンボルを送信する各送信アンテナと、これらのシンボルを受信する受信アンテナとの間のチャネルに関して、アクセス端末とアクセスポイントとの間のチャネルに関するチャネル品質情報（ＣＱＩ）を発生するために、アクセス端末により利用されてもよい。一実施形態において、チャネル推定値は、無線通信チャネルの雑音、信号対雑音比、パイロット信号電力、フェーディング、遅延、経路損失、シャドウイング(shadowing)、相関(correlation)、または、任意の他の測定可能な特性を構成してもよい。ＵＥは、サービングセクタおよび他のセクタからのパスディファレンシャル(path differential)を考慮してロードインジケータ(load indicator)により調節されるヘッドルーム(headroom)内の基準信号に関してデルタパワースペクトル密度(delta power spectral density)（ＰＳＤ）を報告する。ＳＩＭＯオペレーションと一致するように、ＣＱＩ信号を送信するアンテナのデルタＰＳＤの報告を返すことができる。ＰＡＲ考察を用いたＰＡバックオフは、ＱＰＳＫ送信を仮定することにより決定されることができる。ノードＢは、ユーザ間干渉（例えば、ＳＩＣオペレーションにおいて、最後にデコードされたユーザ）の影響を受けないユーザのデータレートを計算するためにこの報告されたデルタＰＳＤを使用する。選択された変調がＱＰＳＫより高ければ、さらなるバックオフが適用されるべきであり、サポート可能なレートが再計算される。ノードＢは、ポスト−ＳＩＣ実効信号対雑音比（ＳＮＲ）(post-SIC effective signal to noise ratio)に基づいてユーザ間干渉の影響を受けるユーザのデータレートを計算することができる。変調次数がＱＰＳＫより高いなら、さらなるバックオフが適用可能であり、サポート可能なレートが１つの観点に従って再計算される。
【００１４】
一般に、いくつかの中心的なアイデアは、ａ）異なる送信電力を適用し、ＰＡＲバックオフは、ＳＩＭＯユーザ並びにＭＩＭＯユーザのための少なくとも変調次数に依存すること、およびｂ）ＭＩＭＯストリームの各々のための送信電力並びに異なるストリームのサポート可能なレートもまた、アンテナごとのレート制御、アンテナパーミュテイション、またはバーチャルアンテナマッピング(virtual antenna mapping)のような他のユニタリ変換のような種々のＭＩＭＯ変換に依存する。
【００１５】
上述のおよび関連した目的を達成するために、１つまたは複数の実施形態は、以下に完全に記載されるおよび特にクレームにおいて指摘される特徴を備える。以下の記載および付属の図面セットは、１つまたは複数の実施形態のある事例的観点を詳細に説明する。しかしながら、これらの観点は、種々の実施形態の原理が採用されてもよい種々の方法の一部を示しており、記載された実施形態は、そのような観点およびそれらの均等物のすべてを含むように意図される。
【図面の簡単な説明】
【００１６】
【図１】図１は、本明細書で説明される種々の観点に従う無線通信システムを示す。
【図２】図２は、１つまたは複数の観点に従ってＭＩＭＯシステム内の（アクセスポイントとしても知られる）トランスミッターシステムと（アクセス端末としても知られる）レシーバシステムの一実施形態のブロック図である。
【図３】図３は１つまたは複数の観点に従うＵＬ  ＭＩＭＯトランシーバブロック図を示す。
【図４】図４は、１つまたは複数の観点に従う、フィードバックを通信ネットワークに供給することができる例示アクセス端末を示す。
【図５】図５は、１つまたは複数の観点に従う適切なコンピューティングシステム環境の一例を示す。
【図６】図６は、１つまたは複数の観点に従って、ＰＡＲバッキングオフ(PAR backing off)が採用されることができる例示ネットワークまたは分散コンピューティング環境の概略図を示す。
【図７】図７は、本明細書において記載されたＰＡＲバッキングオフの１つまたは複数の観点とともに利用されてもよいような複数の基地局および複数の端末を有した無線通信システムを示す。
【図８】図８は、本明細書に記載されたＰＡＲバッキングオフの種々の観点に従うアドホック(ad hoc)または計画されていない／半分計画された無線通信環境を示す。
【図９】図９は、１つまたは複数の観点に従ってＰＡＲバックオフを受信することを含む方法を示す。
【図１０】図１０は、１つまたは複数の観点に従って１つのアンテナからのチャネル品質インデックス（ＣＱＩ）が基準信号として電力制御される方法１０００を示す。
【図１１】図１１は、１つまたは複数の観点に従ってソースノードＢがモバイルデバイスと通信する方法を示す。
【図１２】図１２は、１つまたは複数の観点に従ってノードＢ１２０２のようなノードＢがモバイルデバイスと通信する環境を示す。
【図１３】図１３は、１つまたは複数の観点に従うＬＦＤＭのための、１６ＱＡＭのための、およびＱＰＳＫのためのＰＡＲを示す。
【図１４】図１４は、１つまたは複数の観点に従うＬＦＤＭのための、６４ＱＡＭのための、およびＱＰＳＫのためのＰＡＲを示す。
【図１５】図１５は、１つまたは複数の観点に関連したＬＦＤＭのための、６４ＱＡＭのための、および１６ＱＡＭのためのＰＡＲを示す。
【発明を実施するための形態】
【００１７】
種々の観点が図面を参照して記載される。明細書全体にわたって類似のエレメントを参照するために類似の参照符号が用いられる。以下の記載において、説明のために、１つまたは複数の観点の完全な理解を提供するために多数の特定の詳細が説明される。しかしながら、そのような観点（複数の場合も有る）がこれらの特定の詳細なしに実施されても良いことは明らかかもしれない。他の例において、１つまたは複数の観点を記載するのを容易にするために、よく知られた構造および装置はブロック図のフォームで示される。
【００１８】
１つの観点に従って、無線通信システムのための方法は、ピーク対平均（ＰＡＲ）バックオフ値を受信し、電力値を決定するために受信されたＰＡＲバックオフ値を適用することを含む。１つの観点に従って、ＰＡＲバックオフ値は少なくとも部分的に変調タイプに基づいている。他の観点において、方法は、ＵＬ送信のためのレートを決定することを含む。他の観点において、ＰＡＲバックオフ値は、少なくとも部分的に変調タイプに基づいており、ＱＰＳＫに関してよりも６４ＱＡＭに関してより大きい。異なるＵＬ  ＭＩＭＯスキームのための電力割り当てアルゴリズムは以下のように記載される。アンテナパーミュテイション（例えば、アンテナごとのレート制御ＰＡＲＣ）なしの電力割り当てＰＡ：異なるアンテナストリームに対して電力を割当てるとき、異なる変調スキームに対して異なるＰＡＲバックオフ値を考察することができる。異なるＰＡバックオフは、ＱＰＳＫおよび１６ＱＡＭのような異なる変調に対して適用されることができる。それゆえ、異なるレイヤが異なる変調次数を使用するなら、電力割り当ては異なるであろう。アンテナパーミュテイション（例えば、バーチャルアクセスポイント  ＶＡＰ）を用いた電力割り当て：異なるレイヤに対して同じ変調次数が選択されるなら、ＰＡバックオフは、その変調次数のためのバックオフファクタ(back off factor)に従って選択されることができる。異なる変調次数が選択されるなら、ＰＡバックオフは、パーミュートされたストリーム(permuted stream)からのＰＡＲバックオフ値に基づいて選択されることができる。
【００１９】
１つの観点において、ＰＡＲバックオフ値考察を用いたレート決定アルゴリズムは以下のように記載される。１つの観点において、ノードＢにより制御される集中型(centralized)レート決定が考察される。１つのアンテナからのチャネル品質インデックスＣＱＩは、基準信号として電力制御される。他のアンテナからのチャネル条件(channel condition)は、すべてのアンテナからのブロードキャストパイロットまたはリクエストチャネルの特別の設計に基づいて導き出されることができる。言い換えれば、ＭＩＭＯチャネルサウンディング(sounding)は、すべてのアンテナからのブロードキャストパイロットを周期的に送信することによりまたは異なるアンテナからリクエストチャネルを送信することにより達成される。ブロードバンドパイロットシンボルは、シンボルを送信する各送信アンテナとこれらのシンボルを受信する受信アンテナとの間のチャネルに関し、アクセス端末とアクセスポイントとの間のチャネルに関するチャネル品質情報（ＣＱＩ）を発生するためにアクセス端末により利用されてもよい。一実施形態において、チャネル推定値は、雑音、信号対雑音比、パイロット信号電力、フェーディング、遅延、パス損失(path-loss)、シャドウイング(shadowing)、相関(correlation)、または無線通信チャネルの任意の他の測定可能な特性を構成してもよい。ＵＥは、サービングセクタおよび他のセクタからのパス差(path differentials)の考察に従ってロードインジケータ(load indicator)により調節されるヘッドルーム(headroom)内で基準信号に対するデルタ電力スペクトル密度（ＰＳＤ）を報告する。ＳＩＭＯオペレーションと一致するように、ＣＱＩ信号を送信するアンテナのデルタＰＳＤの報告を返すことができる。ＰＡＲバックオフ値考察を用いたＰＡバックオフは、ＱＰＳＫ送信を仮定することにより決定されることができる。ノードＢは、ユーザ間干渉（例えば、ＳＩＣオペレーションにおいて最後にデコードされたユーザ）の影響を受けないユーザのデータレートを計算するために、この報告されたデルタＰＳＤを使用する。選択された変調がＱＰＳＫより高いなら、さらなるバックオフが適用されることができ、サポート可能なレートが再計算される。ノードＢは、ポストＳＩＣ実効信号対雑音比(post-SIC effective signal to noise ratio)（ＳＮＲ）に基づいてユーザ間干渉の影響を受けるユーザのデータレートを計算する。変調次数がＱＰＳＫより高いなら、さらなるバックオフが適用されることができ、サポート可能なレートが１つの観点に従って再計算される。バックオフによって、それは、利用可能な総量未満の任意の量であることが意味される。
【００２０】
さらに、開示の種々の観点が以下に記載される。本明細書における開示は、多種多様なフォームで具現化されてもよく、本明細書に開示された任意の特定の構造および／または機能は単に典型であることが明らかでなければならない。本明細書の開示に基づいて、当業者は、本明細書に開示された１つの観点は、任意の他の観点と独立して実施されてもよく、これらの観点の２つまたは複数が種々の方法で組み合わされてもよいことが理解されなければならない。例えば、本明細書に記載された観点の任意の数を用いて装置が実施されてもよいしおよび／または方法が実施されてもよい。さらに、本明細書に説明された観点の１つまたは複数に加えてまたはそれ以外の他の構造および／または機能性を用いて装置が実施されてもよいし、方法が実施されてもよい。一例として、本明細書に記載された方法、デバイス、システム、および装置(apparatus)の多くは、直交システムに反復ＡＣＫチャネル(repeating ACK channel)を供給するアドホック(ad-hoc)または無計画(unplanned)／半分計画された(semi-planned)展開された無線通信環境との関連で記載される。当業者は類似の技術が他の通信環境に適用できることを理解しなければならない。
【００２１】
この出願で使用されるように、「コンポーネント」、「システム」および同類のものの用語は、ハードウエア、ソフトウエア、実行中のソフトウエア、ファームウエア、ミドルウエア、マイクロコード、および／または任意のそれらの組み合わせを指すことを意図されている。例えば、コンポーネントは、これらに限定されないが、プロセッサ上で実行中のプロセス、プロセッサ、オブジェクト、実行可能なもの(an excutable)、実行のスレッド(thread)、プログラム、および／またはコンピュータであってよい。１つまたは複数のコンポーネントは、プロセスおよび／または実行のスレッド内に存在してもよいし、コンポーネントは、１つのコンピュータ上にローカライズ(localized)されてもよいし、および／または２つまたは複数のコンピュータ間に分散されてもよい。また、これらのコンポーネントは、種々のデータ構造が記憶された種々のコンピュータ読み取り可能媒体から実行することができる。コンポーネントは、１つまたは複数のデータパケット（例えば、ローカルシステム、分散システム、および／または信号を経由して他のシステムとのインターネットのようなネットワークを介したデータ）を有する信号に従うようなローカルおよび／またはリモートプロセスを経由して通信してもよい。さらに、当業者により理解されるように、本明細書において記載されるシステムのコンポーネントは、それらに関連して記載される種々の観点、目的、利点等を達成するのを容易にするためにさらなるコンポーネントにより再構成および／または補完(complemented)されてもよく、与えられた図で説明される正確な構成に限定されない。
【００２２】
さらに、加入者ステーションに関連して種々の観点が本明細書に記載される。加入者ステーションは、また、システム、加入者ユニット、モバイルステーション、モバイル、リモートステーション、リモート端末、アクセス端末、ユーザ端末、ユーザエージェント、ユーザデバイス、またはユーザ機器と呼ばれてもよい。加入者ステーションは、セルラ電話、コードレス電話、セッションイニシエーションプロトコル(Session Initiation Protocol)（ＳＩＰ）電話、無線ローカルループ（ＷＬＬ）、パーソナルデジタルアシスタント（ＰＤＡ）、無線接続能力を輸したハンドヘルドデバイス、または処理装置との無線通信を容易にする類似の機構に接続された他の処理装置であってよい。
【００２３】
さらに、本明細書において記載された種々の観点または特徴は、標準プログラミングおよび／またはエンジニアリングテクニックを用いて、方法、装置、または製造物(article of manufacture)として実施されてもよい。本明細書で使用される「製造物」という用語は、任意のコンピュータ読み取り可能デバイス、キャリア(carrier）または媒体(media)からアクセス可能なコンピュータプログラムを含むように意図される。例えば、コンピュータ読み取り可能媒体は、これらに限定されないが、磁気記憶装置（例えば、ハードディスク、フロッピー（登録商標）ディスク、磁気ストライプ・・・）、光学ディスク（例えば、コンパクトディスク（ＣＤ）、デジタルバーサタイルディスク(digital versatile disk)（ＤＶＤ）・・・）、スマートカード、およびフラッシュメモリデバイス（例えば、カード、スティック、キードライブ・・・）を含むことができる。さらに、本明細書に記載される種々の記憶媒体は、情報を記憶するために１つまたは複数のデバイスおよび／または他の機械読み取り可能な媒体を表すことができる。「機械読み取り可能な媒体」という用語は、これらに限定されないが、無線チャネル、および命令（複数の場合もある）および／またはデータを記憶し、含み、運ぶ(carry)ことができる種々の他の媒体を含むことができる。
【００２４】
さらに、「例示」というワードは、例、インスタンス、または例証として機能することを意味するために本明細書において使用される。「例示」として本明細書に記載された任意の観点または設計は、他の観点または設計に対して好適であるまたは利点があると必ずしも解釈されるべきでない。むしろ、例示というワードの使用は、具体的な方法を概念を提示するように意図される。このアプリケーションで使用されるように、「または」という用語は、排他的な「または」よりはむしろ包括的な「または」を意味するように意図される。すなわち、別なふうに指定されないかぎり、またはコンテキストから明らかでない限り、「ＸはＡまたはＢを採用する」は、自然の包括的なパーミュティション(permutation)のいずれかを意味するように意図される。すなわち、ＸがＡを採用するなら、ＸがＢを採用するなら、またはＸがＡとＢの両方を採用するなら、上述したインスタンスのいずれかのもとで「ＸはＡまたはＢを採用する」が満足される。さらに、この出願および添付されたクレームで使用される冠詞"a"および"an"は、別なふうに指定されない限り、または単数形に向けられていることがコンテキストから明らかでない限り、「１つまたは複数」を意味するように一般的に解釈されなければならない。
【００２５】
本明細書で使用されるように、「推測する」または「推定」という用語は、一般に、イベントおよび／またはデータを介して得られたオブザベーション(observation)のセットからシステム、環境、および／またはユーザの状態を推論する(reasoning)または推測する(inferring)プロセスを指す。推論は、例えば、特定のコンテキストまたはアクションを特定するために採用されることができ、または状態に関する確率分布を発生することができる。推論は確率的である、すなわち、データおよびイベントの考察に基づいて関心のある状態に関する確率分布の計算であることができる。また、推論は、イベントおよび／またはデータのセットからより高次のレベルのイベントを構成するための技術を指すことができる。そのような推論は、イベントが緊密に一時的に近接して(in close temporal proximity)相関されていようがなかろうが、およびイベントおよびデータが１つまたは複数のイベント（複数の場合もある）およびデータソース（複数の場合もある）から来ようがなかろうが、観察されたイベントおよび／または記憶されたイベントデータのセットから新しいイベントまたはアクションの構成をもたらす。
【００２６】
本明細書に記載される送信強化技術は、ＣＤＭＡ、ＴＤＭＡ、ＦＤＭＡ、ＯＦＤＭＡ、およびシングルキャリア周波数分割多重（ＳＣ−ＦＤＭＡ）システムのような種々の無線通信システムに使用されてもよい。「システム」および「ネットワーク」という用語は、しばしば交換可能に使用される。ＣＤＭＡシステムは、ユニバーサルテレストリアルラジオアクセス(Universal Terrestrial Radio Access)（ＵＴＲＡ）、ｃｄｍａ２０００等のような無線技術を実施してもよい。ＵＴＲＡはワイドバンドＣＤＭＡ（Ｗ-ＣＤＭＡ）およびロウチップレート(Low Chip Rate)（ＬＣＲ）を含む。Ｃｄｍａ２０００はＩＳ−２０００、ＩＳ−９５、およびＩＳ−８５６標準をカバーする。ＴＤＭＡシステムは、グローバルシステムフォーモバイルコミュニケーション(Global System for Mobile Communication)（ＧＳＭ（登録商標））のような無線技術を実施してもよい。ＯＦＤＭＡシステムは進化されたＵＴＲＡ（Ｅ−ＵＴＲＡ）、ＩＥＥＥ  ８０２．１１、ＩＥＥＥ  ８０２．１６、ＩＥＥＥ  ８０２．２０、フラッシュ−ＯＦＤＭＯ(Flash-OFDMO)等のような無線技術を実施してもよい。これらの種々の無線技術および標準は技術的に知られている。
【００２７】
ＵＴＲＡ、Ｅ−ＵＴＲＡ、およびＧＳＭはユニバーサルモバイルテレコミュニケーションシステム（ＵＭＴＳ）の一部である。ロングタームイボリューション(Long Term Evolution)（ＬＴＥ）は、Ｅ−ＵＴＲＡを使用するＵＭＴＳの来るべきリリースである。ＵＴＲＡ、Ｅ−ＵＴＲＡ、ＧＳＭ、ＵＭＴＳおよびＬＴＥは、「第三世代パートナーシッププロジェクト(3rd Generation Partnership Project)」（３ＧＰＰ）という名前の組織からの文献に記載されている。Ｃｄｍａ２０００は、「第三世代パートナーシッププロジェクト１６」（３ＧＰＰ２）という名前の組織からの文献に記載されている。明確にするために、技術のある観点はＬＴＥにおけるアップリンク送信に関して以下に記載され、３ＧＰＰという用語は以下の記載の大部分において使用される。
【００２８】
ＬＴＥはダウンリンクに関して直交周波数分割多重（ＯＦＤＭ）を利用し、アップリンクに関してシングルキャリア周波数分割多重（ＳＣ−ＦＤＭ）を利用する。ＯＦＤＭおよびＳＣ−ＦＤＭは、システム帯域幅を複数（Ｎ）の直交サブキャリアに分割する。それはまた、一般にトーン(tone)、ビン(bins)等と呼ばれる。各サブキャリアはデータで変調されてもよい。一般に、変調シンボルは、ＯＦＤＭを用いて周波数領域内に送信され、ＳＣ−ＦＤＭを用いて時間領域内に送信される。ＬＴＥの場合、隣接するサブキャリアとの間の間隔は固定であってもよく、サブキャリアの合計数（Ｎ）は、システム帯域幅に依存していてもよい。１つの設計において、５ＭＨｚのシステム帯域幅の場合、Ｎ＝５１２であり、１０ＭＨｚのシステム帯域幅の場合、Ｎ＝１０２４であり、２０ＭＨｚのシステム帯域幅の場合、Ｎ＝２０４８である。一般に、Ｎは任意の整数値であってよい。
【００２９】
システムは周波数分割デュプレックス（ＦＤＤ）モードおよび／または時間分割デュプレックス（ＴＤＤ）モードをサポートしてもよい。ＦＤＤモードにおいて、ダウンリンクとアップリンクのために別個の周波数チャネルが使用されてもよいし、ダウンリンク送信とアップリンク送信は、それらの別個の周波数チャネル上に同時に送信されてもよい。ＴＤＤモードにおいて、ダウンリンクとアップリンクの両方のために共通の周波数チャネルが使用されてもよいし、ダウンリンク送信がある時間期間に送信されてもよいし、アップリンク送信が他の時間期間に送信されてもよい。ＬＴＥダウンリンク送信は無線フレーム（例えば、１０ｍｓ無線フレーム）により分割される。各フレームは、周波数（例えば、サブキャリア）および時間（例えば、ＯＦＤＭシンボル）から成るパターンを備える。１０ｍｓ無線フレームは複数の隣接する５ｍｓサブフレーム（サブフレームまたはタイムスロットとも呼ばれ、以下交換可能に使用される）に分割される。各サブフレームは複数のリソースブロックを構成し、ここにおいて、各リソースブロックは１つまたは複数のサブキャリアおよび１つまたは複数のＯＦＤＭシンボルで構成されている。１つまたは複数のリソースブロックは、データ、制御情報、パイロット、または任意のそれらの組み合わせの送信のために使用されてもよい。
【００３０】
マルチキャスト／ブロードキャストシングル周波数ネットワークまたはＭＢＳＦＮは、いくつかの送信機が同じ周波数チャネルを介して同じ信号を同時に送信するブロードキャストネットワークである。アナログＦＭおよびＡＭ無線ブロードキャストネットワーク並びにデジタルブロードキャストネットワークはこの方法で動作することができる。ＭＢＳＦＮは同じ信号のエコーによるゴーストを生じるので、アナログテレビジョン送信はより困難であることが分かった。
【００３１】
ＭＢＳＦＮの簡単化されたフォームは、ギャップフィルタトランスミッタ(gap filter transmitter)として利用される、低電力コチャネルリピータ(co-channel repeater)、ブースタ、またはブロードキャストトランスレータ(broadcast translator)により達成されることができる。ＳＦＮsの目的は、伝統的な複数の周波数ネットワーク（ＭＦＮ）送信に比べてより高い数の無線およびＴＶプログラムを許容する、無線スペクトルの効率的な利用である。合計受信信号強度は送信機の間の中間の位置で増加してもよいので、ＭＢＳＦＮはまた、ＭＦＮに比べてサービスエリアを増加させ、故障確率を減少させるかもしれない。
【００３２】
ＭＢＳＦＮスキームは、非ブロードキャスト無線通信、例えばセルラネットワークおよび無線コンピュータネットワークにおいて、いわゆるトランスミッタマクロダイバーシティ(transmitter macrodiversity)、ＣＤＭＡソフトハンドオフ、およびダイナミックシングル周波数ネットワーク（ＤＳＦＮ）に多少類似している。ＭＢＳＦＮ送信は、マルチパス伝搬の厳格な形として考慮されることができる。無線レシーバは同じ信号のいくつかのエコーを受信し、（自己干渉としても知られる）これらのエコーの中の建設的(constructive)または破壊的（destructive)干渉はフェージングを生じるかもしれない。その場合のフェージングは（フラットフェージングと対照的に）周波数選択的であり、エコーの時間拡散は、シンボル間干渉（ＩＳＩ）を生じるかもしれないので、これは、特にワイドバンド通信および高データレートデジタル通信において問題がある。フェージングおよびＩＳＩはダイバーシティスキーム(diversity scheme)および等化フィルタ(equalization filter)の手段により回避されることができる。
【００３３】
ワイドバンドデジタルブロードキャスティングにおいて、自己干渉相殺(cancellation)は、ＯＦＤＭまたはＣＯＦＤＭ変調方法の手段により容易となる。ＯＦＤＭは１つの高速なワイドバンド変調器のかわりに多数の低速の低帯域幅変調器を使用する。各変調器は独自の周波数サブチャネルおよびサブキャリア周波数を有する。各変調器は非常に低速なので、シンボル間にガードインターバルを挿入する余裕があり、従ってＩＳＩを消去することができる。フェージングは全体の周波数チャネルに対して周波数選択的であるけれども、狭帯域サブチャネル内ではフラットとして考えることができる。従って、高度な等化フィルタを回避することができる。フォワードエラー訂正コード（ＦＥＣ）は、サブキャリアのある部分が、正しく復調されるためにあまりにも多くのフェージングにさらされていることに対抗することができる。
【００３４】
図１を参照すると、一実施形態にしたがう多重アクセス無線通信システムが示される。アクセスポイント１００（ＡＰ）は複数のアンテナグループを含み、１つのグループは１０４と１０６を含み、別のグループは１０８と１１０を含み、さらなるグループは１１２と１１４を含む。図１では、各アンテナグループに対して２つのアンテナのみが示されている。しかしながら、それより多きまたは少ないアンテナが各アンテナグループに対して利用されてもよい。アクセス端末１１６（ＡＴ）はアンテナ１１２および１１４と通信している。ここにおいて、アンテナ１１２と１１４は、フォワードリンク１２０を介して情報をアクセス端末１１６に送信し、リバースリンク１１８を介してアクセス端末１１６から情報を受信する。アクセス端末１２２はアンテナ１０６および１０８と通信している。ここにおいて、アンテナ１０６および１０８はフォワードリンク１２６を介して情報をアクセス端末１２２に送信し、リバースリンク１２４を介してアクセス端末１２２から情報を受信する。アクセス端末１１６および１２２はＵＥｓであり得る。ＦＤＤシステムにおいて、通信リンク１１８、１２０、１２４、１２６は、通信に関して異なる周波数を使用してもよい。例えば、フォワードリンク１２０は、リバースリンク１１８により使用されるものとは異なる周波数を使用してもよい。
【００３５】
通信するように設計されたアンテナの各グループおよび／またはエリアはしばしばアクセスポイントのセクタと呼ばれる。実施形態において、アンテナグループは各々、アクセスポイント１００によりカバーされるエリアのセクタ内のアクセス端末に通信するように設計される。
【００３６】
フォワードリンク１２０および１２６を介した通信において、アクセスポイント１００の送信アンテナは、異なるアクセス端末１１６および１２４のためのフォワードリンクの信号対雑音比を改善するためにビームフォーミング(beam forming)を利用する。また、そのカバレジ(coverage)を介してランダムに分散されたアクセス端末に送信するためにビームフォーミングを使用するアクセスポイントは、１つのアンテナを介してすべてのアクセス端末に送信するアクセスポイントよりも隣接するセル内のアクセス端末への干渉を少なくさせる。
【００３７】
アクセスポイントは、端末との通信のために使用される固定局であってもよく、またアクセスポイント、ノードＢ、またはその他の専門用語で呼ばれてもよい。アクセス端末も、アクセス端末、ユーザ機器（ＵＥ）、無線通信装置、端末、アクセス端末、またはその他の専門用語で呼ばれてもよい。
【００３８】
図２は、ＭＩＭＯシステム２００における（アクセスポイントとしても知られる）トランスミッタシステム２１０および（アクセス端末としても知られる）レシーバシステム２５０の一実施形態のブロック図である。トランスミッタシステム２１０において、多数のデータストリームのためのトラヒックデータはデータソース２１２から送信（ＴＸ）データプロセッサ２１４に供給される。
【００３９】
一実施形態において、各データストリームはそれぞれの送信アンテナを介して送信される。ＴＸデータプロセッサ２１４は、コード化されたデータを供給するためにそのデータストリームのために選択された特別のコーディングスキームに基づいて各データストリームに関してトラヒックデータをフォーマットし、コード化し、インターリーブする。
【００４０】
各データストリームのためのコード化されたデータはＦＯＲＭ技術を用いてパイロットデータと多重化されてもよい。パイロットデータは既知の方法で処理される既知のデータパターンであり、チャネル応答を推定するためにレシーバシステムにおいて使用されてもよい。各データストリームのための多重化されたパイロットおよびコード化されたデータは次に、変調シンボルを供給するためにそのデータストリームのために選択された特別の変調スキーム（例えば、ＢＡＳＫ、ＡＳＫ、Ｍ−ＰＳＦ、またはＭ−ＱＡＭ）に基づいて変調される。各データストリームのためのデータレート、コーディング、および変調は、プロセッサにより実行される命令により決定されてもよい。
【００４１】
すべてのデータストリームのための変調シンボルは、次にＴＸ  ＭＩＭＯプロセッサ２２０に供給される。それは、さらに（例えば、ＯＦＤＭのために）変調シンボルをさらに処理してもよい。ＴＸ  ＭＩＭＯプロセッサ２２０は次にＮT変調シンボルストリームをＮTトランスミッタ（ＴＭＴＲ）２２２ａ乃至２２２ｔに供給する。ある実施形態において、ＴＸ  ＭＩＭＯプロセッサ２２０は、データストリームのシンボルに、およびシンボルが送信されているアンテナに、ビームフォーミング重みを適用する。
【００４２】
各トランスミッタは、１つまたは複数のアナログ信号を供給するためにそれぞれのシンボルストリームを受信して処理し、さらに、ＭＩＭＯチャネルを介した送信に適した変調された信号を供給するために該アナログ信号を条件づけ（例えば、増幅し、フィルタし、アップコンバートする）する。次に、トランスミッタ２２２ａ乃至２２２ｔからのＮTの変調された信号は、それぞれＮＴのアンテナ２２４ａ乃至２２４ｔから送信される。
【００４３】
レシーバシステム２５０において、送信された変調された信号は、ＮＲのアンテナ２５２ａ乃至２５２ｒにより受信され、各アンテナ２５２からの受信された信号はそれぞれのレシーバ（ＲＣＶＲ）２５４ａ乃至２５４ｒに供給される。各レシーバ２５４は、それぞれの受信された信号を条件付けし（例えば、フィルタし、増幅し、ダウンコンバートする）、サンプルを供給するために該条件付けされた信号をデジタル化し、さらに対応する「受信された」シンボルストリームを供給するためにサンプルを処理する。
【００４４】
次に、ＲＸデータプロセッサ２６０は、ＮTの「検出された」シンボルストリームを供給するために特別のレシーバ処理技術に基づいてＮRのレシーバ２５４からのＮＲの受信されたシンボルストリームを受信し処理する。次に、ＲＸデータプロセッサ２６０は、データストリームのためのトラヒックデータをリカバー(recover)するために各検出されたシンボルストリームを復調し、デインターリーブし、デコードする。ＲＸデータプロセッサ２６０による処理は、トランスミッタシステム２１０においてＴＸ  ＭＩＭＯプロセッサ２２０およびＴＸデータプロセッサ２１４により実行される処理と相補的である。プロセッサ２７０はどのプリコーディング (pre-coding matrix)を使用するかを定期的に決定する。プロセッサ２７０は、マトリクスインデックス部分とランク値部分とからなるリバースリンクメッセージを公式化(formulate)する。
【００４５】
リバースリンクメッセージは、通信リンクおよび／または受信されたデータストリームに関する種々のタイプの情報を含んでいてもよい。次に、リバースリンクメッセージはＴＸデータプロセッサ２３８により処理される。それはまた変調器２８０により変調され、トランスミッタ２５４ａ乃至２５４ｒにより条件付けされ、トランスミッタシステム２１０に返送される、データソース２３６からの多数のデータストリームのためのトラヒックデータも受信する。
【００４６】
トランスミッタシステム２１０において、レシーバシステム２５０からの変調された信号は、レシーバシステム２５０により送信されたリバースリンクメッセージを抽出するために、アンテナ２２４により受信され、復調器２４０により復調され、ＲＸデータプロセッサ２４２により処理される。次に、プロセッサ２３０は、ビームフォーミング重みを決定するためにどのプリコーディングマトリクスを使用するかを決定し、次に、抽出されたメッセージを処理する。
【００４７】
１つの観点において、ロジカルチャネルはコントロールチャネルとトラヒックチャネルに分類される。ロジカルコントロールチャネルは、システム制御情報をブロードキャストするためのＤＬチャネルであるブロードキャストコントロールチャネル（ＢＣＣＨ）を含む。ページングコントロールチャネル（ＰＣＣＨ）は、ページング情報を転送するＤＬチャネルである。マルチキャストコントロールチャネル（ＭＣＣＨ）は、１つまたはいくつかのＭＴＣＨｓのためにマルチメディアブロードキャストおよびマルチキャストサービス（ＭＢＭＳ）スケジューリングおよび制御情報を送信するために使用されるポイントツーマルチポイント(point-to-multipoint)ＤＬチャネルである。一般に、無線リソースコントロール（ＲＲＣ）接続を確立した後、このチャネルは、ＭＢＭＳを受信するＵＥｓによってのみ使用される。専用制御チャネル（ＤＣＣＨ）は、専用制御情報を送信し、ＲＲＣ接続を有するＵＥｓにより使用されるポイントツーポイント双方向チャネルである。１つの観点において、ロジカルトラヒックチャネルは、ユーザ情報の転送のために、１つのＵＥに専用される、ポイントツーポイント双方向チャネルである専用トラヒックチャネル（ＤＴＣＨ）を含む。また、トラヒックデータを送信するためのポイントツーマルチポイントＤＬチャネルのためのマルチキャストトラヒックチャネル（ＭＴＣＨ）。
【００４８】
１つの観点において、トランスポートチャネルは、ＤＬとＵＬに分類される。トランスポートチャネルは、ブロードキャストチャネル（ＢＣＨ）、ダウンリンクシェアドデータチャネル(Downlink Shared Data Channel)（ＤＬ−ＳＤＣＨ）、およびページングチャネル（ＰＣＨ）、すなわち、全体のセルを介してブロードキャストされ、他の制御／トラヒックチャネルのために使用されることができるＰＨＹリソースにマッピングされる、ＵＥパワーセービング(UE power saving)（ＤＲＸサイクルはネットワークによりＵＥに示される）のサポートのためのＰＣＨを含む。ＵＬトランスポートチャネルは、ランダムアクセスチャネル（ＲＡＣＨ）、リクエストチャネル（ＲＥＱＣＨ）、アップリンクシェアドデータチャネル（ＵＬ−ＳＤＣＨ）、および複数のＰＨＹチャネルを含む。ＰＨＹチャネルはＤＬチャネルとＵＬチャネルのセットを含む。
【００４９】
ＤＬ  ＰＨＹチャネルは下記を含む：
コモンパイロットチャネル(Common Pilot Channel)（ＣＰＩＣＨ）
シンクロナイゼーションチャネル(Synchronization Channel)（ＳＣＨ）
コモンコントロールチャネル(Common Control Channel)（ＣＣＣＨ）
シェアドＤＬコントロールチャネル(Shared DL Control Channel)（ＳＤＣＣＨ）
マルチキャストコントロールチャネル（ＭＣＣＨ）
シェアドＵＬアサイメントチャネル(Shared UL Assignment Channel)（ＳＵＡＣＨ）
アクノレジメントチャネル（ＡＣＫＣＨ）
ＤＬフィジカルシェアドデータチャネル(DL Physical Shared Data Channel)（ＤＬ−ＰＳＤＣＨ）
ＵＬパワーコントロールチャネル（ＵＰＣＣＨ）
ページングインジケータチャネル（ＰＩＣＨ）
ロードインジケータチャネル(Load Indicator Channel)（ＬＩＣＨ）
ＵＬ  ＰＨＹチャネルは下記を含む：
フィジカルランダムアクセスチャネル(Physical Random Access Channel)（ＰＲＡＣＨ）
チャネル品質インジケータチャネル（ＣＱＩＣＨ）
アクノレジメントチャネル（ＡＣＫＣＨ）
アンテナサブセットインジケータチャネル（ＡＳＩＣＨ）
シェアドリクエストチャネル(Shared Request Channel)（ＳＲＥＱＣＨ）
ＵＬフィジカルシェアドデータチャネル(UL Physical Shared Data Channel)（ＵＬ−ＰＳＤＣＨ）
ブロードバンドパイロットチャネル（ＢＰＩＣＨ）
１つの観点において、ロウシグナルピークツーアベレージ(low signal peak to average)（ＰＡＲ）値を維持するチャネル構造が提供される。常に、チャネルは、シングルキャリア波形の望ましいプロパティ(property)である、周波数において連続的かまたは均一に間隔があけられている。
【００５０】
図３は、離散的な高速フーリエ変換（ＦＦＴ）が行われる複数のＭポイントＤＦＴブロック３０２と、サブキャリアマッピングが行われる複数のサブキャリアマッピングブロックを示すＵＬ  ＭＩＭＯトランシーバブロック図３００を示す。ＭＩＭＯトランスミッタ処理は、ブロック３０６に示される。複数のＮポイントＩＦＦＴは、ＦＦＴが行なわれる３０８にあり、ノード３１０と３１２の２つのセットは、ＦＦＴが行なわれる複数のＮポイントＦＦＴブロック３１４と、Ｎポイント逆ＦＦＴブロック３０８との間に位置される。ＭＩＭＯトランスミッタ処理は、ブロック３１６に示され、複数のＭポイントＩＤＦＴブロックは、逆ＤＦＴを行なうことができる３１８にある。
【００５１】
ＳＣ−ＦＤＭの場合、送信された信号は時間領域において発生され、Ｍポイント離散的高速フーリエ変換（ＤＦＴ）オペレーションを介して周波数領域に変換される。ＯＦＤＭの場合、ＤＦＴブロック３０２はバイパスされる。ＭＩＭＯオペレーションのインパクト(impact)に焦点を合わせるために、ＳＣ−ＦＤＭの場合、ＵＬデータ送信に最も関係するＬＦＤＭのみを考慮することができる。シミュレーションはそのような必要が生じるなら、逆高速フーリエ変換復調（ＩＦＤＭ）を含むように容易に拡張されることができる。ＭＩＭＯオペレーションの場合、ＯＦＤＭとＬＦＤＭの両方に関して異なるタイプのパーミューテイション(permutation)を考慮することができる：１．アンテナパーミューテイションがないＭＩＭＯ送信  ２．シンボルレベルパーミューテイション(symbol level permutation)を用いたＭＩＭＯ送信：送信されたストリームは、送信時間間隔（ＴＴＩ）の各々の期間にシンボルベースでパーミュート(permuted）される。シンボルレベルパーミューテイションによって、送信されたストリームは、Ｅ−ＵＴＲＡアップリンク送信の０．５ｍｓスロット内の６つのＬＦＤＭシンボルの各々に関してパーミュートされることが意味される。簡単化するために、２×２ＭＩＭＯのシミュレーション結果のみが提示される。しかしながら、４×４への拡張は自明である。ＭＩＭＯ送信の場合、同じまたは異なる変調次数の２つのストリームを考慮することができる。現在のＬＴＥ  Ｅ−ＵＴＲＡ仕様に基づいて、ＱＰＳＫおよび１６ＱＡＭは、ＵＬ変調次数として選択される。従って、２つの送信アンテナの場合、１つのストリームのための変調次数として１６ＱＡＭを有し、他としてＱＰＳＫを有する可能性が非常に高い。または、ある場合には、両方のストリームに関して１６ＱＡＭである。現在のＭＣＳを６４ＱＡＭを含むように拡張するなら、ＱＰＳＫまたは１６ＱＡＭと６４ＱＡＭの組み合わせを有してもよい。この出願において、混合した変調次数を有した以下の３つのケースを考慮することができる。
【表１】
0005453369.tif 000002
【００５２】
考慮された高速フーリエ変換（ＦＦＴ）サイズはＮfft＝５１２であり、考慮されたＤＦＴサイズはＮdft＝１００トーン(tones)である。Ｎguard＝２１２トーンガードトーン(tones guard tones)の合計は、３００データトーンの両側に対称的に挿入される。最後に、ローカライズされた周波数トーンが第１のＮdftデータトーンロケーションにマッピングされる。典型的にＰＡＲバックオフは、６４ＱＡＭ＞１６ＱＡＭ＞ＱＰＳＫのようです。
【００５３】
図４は、本明細書において記載されたＰＡＲバックオフおよび／またはＰＡバックオフの１つまたは複数の観点に従って、フィードバックを通信ネットワークに供給することができる例示アクセス端末４００を描写する。アクセス端末４００は、信号を受信し、受信された信号に典型的なアクション（例えば、フィルタし、増幅し、ダウンコンバートする、等）を実行するレシーバ４０２を含む。特に、レシーバ４０２はまた送信割り当て期間の１つまたは複数のブロックに割当てられたサービスを定義するサービススケジュール、本明細書で記載されるようにフィードバック情報を供給するためにダウンリンクリソースのブロックをアップリンクリソースのブロックと相関するスケジュール、または同種のものを受信することができる。レシーバ４０２は、受信されたシンボルを復調し、それらを評価のためにプロセッサ４０６に供給することができる復調器４０４を含むことができる。プロセッサ４０６は、レシーバ４０２により受信される情報を解析するために専用されるおよび／または送信機４１６による送信のための情報を発生するプロセッサであり得る。さらに、プロセッサ４０６は、アクセス端末４００の１つまたは複数のコンポーネントを制御するプロセッサ、および／またはレシーバ４０２により受信される情報を解析し、送信機４１６による送信のために情報を発生し、アクセス端末４００の１つまたは複数のコンポーネントを制御するプロセッサであり得る。さらに、プロセッサ４０６は、本明細書で記載されるように、レシーバ４０２により受信されるアップリンクおよびダウンリンクリソースの相関を解釈し、受信されないダウンリンクブロックを特定し、またはそのような受信されないブロックまたはブロック群を知らせる(signal)のに適した、ビットマップのようなフィードバックメッセージを発生するための命令、または複数のアップリンクリソースの適切なアップリンクリソースを決定するためにハッシュ関数を解析するための命令を実行することができる。
【００５４】
アクセス端末４００はさらに動作可能にプロセッサに接続され、送信される、受信されるデータ等を記憶してもよいメモリ４０８を含むことができる。メモリ４０８は、ダウンリンクリソーススケジューリングに関連する情報、前述のものを評価するためのプロトコル、送信の受信されない部分を特定するためのプロトコル、判読できない送信を決定するためのプロトコル、フィードバックメッセージをアクセスポイントに送信するためのプロトコル等を記憶することができる。
【００５５】
本明細書に記載されるデータ記憶装置（例えば、メモリ４０８）は、揮発性メモリまたは不揮発性メモリのいずれかであり得、または揮発性メモリおよび不揮発性メモリの両方を含むことができることが理解されるであろう。実例として、制限はされないが、不揮発性メモリは、リードオンリメモリ（ＲＯＭ）、プログラムＲＯＭ（ＰＲＯＭ）、電気的にプログラム可能なＲＯＭ（ＥＰＲＯＭ）、電気的に消去可能なＰＲＯＭ（ＥＥＰＲＯＭ）、またはフラッシュメモリを含むことができる。揮発性メモリは、外部キャッシュメモリとして動作する、ランダムアクセスメモリ（ＲＡＭ）を含むことができる。実例として、制限はされないが、ＲＡＭは、シンクロナスＲＡＭ（ＳＲＡＭ）、ダイナミックＲＡＭ（ＤＲＡＭ）、シンクロナスＤＲＡＭ（ＳＤＲＡＭ）、ダブルデータレートＳＤＲＡＭ（ＤＤＲ  ＳＤＲＡＭ）、エンハンストＳＤＲＡＭ（ＥＳＤＲＡＭ）、シンクリンク(Synchlink)ＤＲＡＭ（ＳＬＤＲＡＭ）、およびダイレクトRambusＲＡＭ（ＤＲＲＡＭ）のような多くのタイプで入手可能である。サブジェクト(subject)システムおよび方法のメモリ４０８は、これらに制限されないが、これらのおよび任意の他の適切なタイプのメモリを含むように意図される。
【００５６】
レシーバ４０２は、さらに、ダウンリンク送信リソースの１つまたは複数のさらなるブロックおよびアップリンク送信リソースのブロックとの間のスケジュールされた相関を受信することができる多重アンテナ４１０に動作可能に接続される。多重プロセッサ４０６を備えることができる。さらに、計算プロセッサ４１２は、フィードバック確率関数を受信することができる。ここにおいて、該関数は、ダウンリンク送信リソースのブロック、またはそれに関連するデータが受信されないなら、本明細書で記載するように、フィードバックメッセージがアクセス端末４００により供給される確率を制限する。
【００５７】
アクセス端末４００はさらに、変調器４１４と、信号を、例えば、基地局、アクセスポイント、他のアクセス端末、リモートエージェント等に送信する送信機４１６を含む。
【００５８】
プロセッサ４０６と離れているように描かれているけれども、信号発生器４１０およびインジケータ評価器４１２は、プロセッサ４０６または多数のプロセッサ（図示せず）の一部であってもよい。
【００５９】
説明を簡単にするために、方法は一連の行為(acts)として示され記載されているけれども、該方法、行為の順番により制限されず、いくつかの行為は、クレームされた主題に従って、本明細書に示され記載されたものとは異なる順番および／または他の行為と同時に生じてもよいことが理解され認識されるべきである。例えば、当業者は、方法は、状態図のように、一連の相関のある状態またはイベントとして代替的に表すことができることを理解し認識するであろう。さらに、図示された行為のすべてが、クレームされた主題に従って方法を実施する必要がなくてもよい。
【００６０】
多元接続システム（例えば、ＦＤＭＡ、ＯＦＤＭＡ，ＣＤＭＡ，ＴＤＭＡ等）、マルチ端末はアップリンク上で同時に送信することができる。そのようなシステムの場合、パイロットサブバンドは異なる端末間で共有されてもよい。各端末のためのパイロットサブバンドが（恐らく、バンドエッジ(band edges)を除く）全体の動作帯域に及ぶ場合、チャネル推定技術が使用されてもよい。そのようなパイロットサブバンド構造は、各端末のための周波数ダイバーシティを得るために望ましいであろう。本明細書に記載される技術は種々の手段により実施されてもよい。例えば、これらの技術は、ハードウエア、ソフトウエア、またはそれらの組み合わせで実施されてもよい。ハードウエア実施の場合、それはデジタル、アナログ、またはデジタルおよびアナログの両方であってもよいが、チャネル推定のために使用される処理ユニットは、１つまたは複数の特定用途向け集積回路（ＡＳＩＣｓ）、デジタルシグナルプロセッサ（ＤＳＰｓ）、デジタルシグナル処理装置（ＤＳＰＤｓ）、プログラマブルロジックデバイス（ＰＬＤｓ）、フィールドプログラマブルゲートアレイ（ＦＰＧＡｓ）、プロセッサ、コントローラ、マイクロコントローラ、マイクロプロセッサ、本明細書に記載された機能を実行するように設計された他の電子ユニットまたはそれらの組み合わせ内で実施されてもよい。ソフトウエアを用いて、本明細書に記載された機能を実行するモジュール（例えば、手続、機能等）を介して実施することができる。ソフトウエアコードは、メモリユニットに記憶され、プロセッサにより実行されてもよい。
【００６１】
本明細書に記載される実施形態は、ハードウエア、ソフトウエア、ファームウエア、ミドルウエア、マイクロコード、またはそれらの任意の組み合わせにおいて実施されてもよいことが理解されるべきである。ハードウエア実施の場合、プロセッシングユニットは、１つまたは複数の特定用途向け集積回路（ＡＳＩＣｓ）、デジタルシグナルプロセッサ（ＤＳＰｓ）、デジタルシグナルプロセッシングデバイス（ＤＳＰＤｓ）、プログラマブルロジックデバイス（ＰＬＤｓ）、フィールドプログラマブルゲートアレイ（ＦＰＧＡｓ）、プロセッサ、コントローラ、マイクロコントローラ、マイクロプロセッサ、本明細書に記載された機能を実行するように設計された他の電子ユニット、またはそれらの組み合わせ内で実施されてもよい。
【００６２】
図５は、上述により明らかにされているけれども、イノベーション(innovation)が実施されることができる適切なコンピューティングシステム環境５００ａの一例を示す。該コンピューティングシステム環境５００ａは適切なコンピューティング環境の唯一の例であり、使用範囲またはイノベーションの機能性に関して任意の制限を示唆するように意図されない。コンピューティング環境５００ａは、例示動作環境５００ａにおいて説明されるコンポーネントの任意の１つまたは組み合わせに関連する任意の依存性(dependency)または必要条件(requirement)を有するとして解釈されるべきではない。
【００６３】
図５を参照すると、少なくとも１つの汎用の、限定されない実施形態を実施するためのリモートデバイスは、コンピュータ５１０ａの形態で汎用計算装置を含む。コンピュータ５１０ａのコンポーネントは、これらに制限されないが、プロセッシングユニット５２０ａ、システムメモリ５３０ａ、システムメモリを含む種々のシステムコンポーネントをプロセッシングユニット５２０ａに接続するシステムバス５２５ａを含むことができる。
【００６４】
システムバス５２５ａは、メモリバスまたはメモリコントローラ、周辺バス、多数のバスアーキテクチャのいずれかを用いたローカルバスを含む任意のいくつかのタイプのバス構造であり得る。
【００６５】
コンピュータ５１０ａは典型的に変調ベースのＰＡおよび／またはＰＡＲバックオフ値を記憶することができるさまざまなコンピュータ読み取り可能媒体を含む。コンピュータ読み取り可能媒体は、コンピュータ５１０ａによりアクセスされることができる任意の利用可能な媒体であり得る。一例として、これに制限されないが、コンピュータ読み取り可能媒体は、コンピュータ記憶媒体および通信媒体を含むことができる。コンピュータ記憶媒体は、コンピュータ読み取り可能命令、データ構造、プログラムモジュールまたは他のデータのような情報の記憶のための任意の方法または技術において実施される揮発、および不揮発、脱着可能、非脱着可能媒体を含む。コンピュータ記憶媒体は、これらに限定されないが、ＲＡＭ、ＲＯＭ、ＥＥＰＲＯＭ、フラッシュメモリまたは他のメモリ技術、ＣＤＲＯＭ，デジタルバーサタイルディスク（ＤＶＤ）または他の光学ディスク記憶装置、磁気カセット、磁気テープ、磁気ディスク記憶装置または他の磁気記憶装置、または所望の情報を記憶するために使用されることができ、コンピュータ５１０ａによりアクセスされることができる任意の他の媒体を含む。通信媒体は典型的にコンピュータ読み取り可能命令、データ構造、プログラムモジュール、または搬送波または他のトランスポート機構のような変調されたデータ信号を具現化し、任意の情報配信媒体を含む。
【００６６】
システムメモリ５３０ａは、リードオンリメモリ（ＲＯＭ）および／またはランダムアクセスメモリ（ＲＡＭ）のような揮発性および／または不揮発性メモリの形態のコンピュータ記憶媒体を含むことができる。スタートアップの期間のように、コンピュータ５１０ａ内のエレメント間で情報を転送するのを助けるベーシックルーチンを含む基本入出力システム（ＢＩＯＳ）は、メモリ５３０ａに記憶されることができる。メモリ５３０ａはまた、典型的に、直ちにアクセス可能である、および／またはプロセッシングユニット５２０ａにより現在動作されているデータおよび／またはプログラムモジュールを含む。一例として、これらに限定されないが、メモリ５３０ａは、また、オペレーティングシステム、アプリケーションプログラム、他のプログラムモジュール、およびプログラムデータを含むことができる。
【００６７】
コンピュータ５１０ａはまた、他の脱着可能／非脱着可能、揮発性／不揮発性コンピュータ記憶媒体を含むことができる。例えば、コンピュータ５１０ａは、非脱着可能、非不揮発性磁気媒体に対してリード、ライトするハードディスクドライブ、脱着可能、非不揮発性磁気ディスクに対してリード、ライトする磁気ディスクドライブ、および／またはＣＤ−ＲＯＭまたは他の光学媒体のような脱着可能、非不揮発性光学ディスクに対してリード、ライトする光学ディスクドライブを含むこともできる。例示動作環境において使用されることができる他の脱着可能／非脱着可能、揮発性／不揮発性コンピュータ記憶媒体は、これらに限定されないが、磁気テープカセット、フラッシュメモリカード、デジタルバーサタイルディスク、デジタルビデオテープ、ソリッドステートＲＡＭ、ソリッドステートＲＯＭ等を含む。ハードディスクドライブは典型的に、インターフェースのような非脱着可能メモリインターフェースを介してシステムバス５２５ａに接続され、磁気ディスクドライブまたは光学ディスクドライブは典型的に、インターフェースのような脱着可能メモリインターフェースによりシステムバス５２５ａに接続される。
【００６８】
ユーザは、一般にマウス、トラックボールまたはタッチパッドと呼ばれるキーボードおよびポインティングデバイスのような入力装置を介してコンピュータ５１０ａにコマンドおよび情報を入力することができる。他の入力装置は、マイクロフォン、ジョイスティック、ゲームパッド、サテライトディッシュ(satellite dish)、および同種のものを含むことができる。これらのおよび他の入力装置は、ユーザ入力５４０ａおよびシステムバス５２５ａに接続された関連するインターフェース（複数の場合も有る）を介して処理装置５２０ａにしばしば接続されるが、パラレルポート、ゲームポートまたはユニバーサルシリアルバス（ＵＳＢ）のような他のインターフェースおよびバス構造により接続されることができる。グラフィックサブシステムもシステムバス５２５ａに接続されることができる。モニタまたは他のタイプの表示装置も、次には、ビデオメモリと通信することができる出力インターフェース５５０ａのようなインターフェースを介してシステムバス５２５ａに接続される。モニタに加えて、コンピュータは、出力インターフェース５５０ａに接続されることができるスピーカおよびプリンタのような他の周辺出力装置を含むこともできる。
【００６９】
コンピュータ５１０ａは、装置５１０ａとは異なる媒体能力を持つことが出来るリモートコンピュータ５７０ａのような１つまたは複数の他のリモートコンピュータへの論理接続を用いてネットワーク化されたまたは分散された環境で動作することができる。リモートコンピュータ５７０ａは、パーソナルコンピュータ、サーバー、ルータ、ネットワークＰＣ、ピアデバイス(peer device)または他の共通ネットワークノード、または任意の他のリモート媒体消費（consumption)または送信デバイスであり得、コンピュータ５１０ａに関連して上述したエレメントのいずれかまたはすべてを含むことができる。図５に示される論理接続は、ローカルエリアネットワーク（ＬＡＮ）またはワイドエリアネットワーク（ＷＡＮ）のようなネットワーク５８０ａを含むが他のネットワーク／バスも含むことができる。そのようなネットワーク環境は、家庭、オフィス、企業規模のコンピュータネットワーク、イントラネット、およびインターネットにおいて一般的である。
【００７０】
ＬＡＮネットワーク環境において使用されるとき、コンピュータ５１０ａはネットワークインターフェースまたはアダプタを介してＬＡＮ５８０ａに接続される。ＷＡＮネットワーク環境で使用されるとき、コンピュータ５１０ａは典型的にモデムのような通信コンポーネント、またはインターネットのような、ＷＡＮを介して通信を確立するための他の手段を含む。内部または外部であることができるモデムのような通信コンポーネントは、入力５４０ａのユーザ入力インターフェース、または他の適切な機構を介してシステムバス５２５ａに接続されることができる。ネットワーク化された環境において、コンピュータ５１０ａに関連して描写されたプログラムモジュール、またはその一部は、リモートメモリ記憶装置に記憶されることができる。図示され記載されたネットワーク接続は例示であり、コンピュータ間に通信リンクを確立する他の手段が使用されることができることが理解されるであろう。
【００７１】
図６は、ＰＡＲバッキングオフ(backing off)および／またはＰＡバッキングオフが採用されることができる例示的なネットワーク化されたまたは分散されたコンピューティング環境の概略図を提供する。分散コンピューティング環境は、コンピューティングオブジェクト６１０ａ、６１０ｂ等およびコンピューティングオブジェクトまたはデバイス６２０ａ、６２０ｂ、６２０ｃ、６２０ｄ、６２０ｅ等を含む。これらのオブジェクトは、プログラム、方法、データ記憶装置、プログラマブルロジック等を含むことができる。該オブジェクトは、ＰＤＡｓ、オーディオ／ビデオデバイス、ＭＰ３プレーヤ、パーソナルコンピュータ等のような同一または異なるデバイスの一部を含むことができる。各オブジェクトは、通信ネットワーク６４０の手段により別のオブジェクトと通信することができる。このネットワークはそれ自身サービスを図６のシステムに供給する他のコンピューティングオブジェクトおよびコンピューティングデバイスを含むことができ、それ自身複数の相互接続されたネットワークを表すことができる。少なくとも１つの汎用の限定されない実施形態の１つの観点に従って、アプリケーションプログラミングインターフェース（ＡＰＩ）、または少なくとも１つの汎用の限定されない実施形態に従って、設計フレームワークに使用するのに適した他のオブジェクト、ソフトウエア、ファームウエアおよび／またはハードウエアを利用してもよいアプリケーションを含むことができる。
【００７２】
また、６２０ｃのようなオブジェクトは、別のコンピューティングデバイス６１０ａ、６１０ｂ等または６２０ａ、６２０ｂ、６２０ｃ、６２０ｄ、６２０ｅ等上のホストになることができることを理解されることができる。従って、描かれた物理環境は、接続された装置をコンピュータとして示すことができるけれども、そのような説明図は単に例示であり、ＰＤＡｓ、テレビジョン、ＭＰ３プレーヤ等のような種々のデジタルデバイスを含む物理環境が代替的に図示されまたは記載されることができる。それらのいずれもさまざまな有線および無線サービス、インターフェースのようなソフトウエアオブジェクト、ＣＯＭオブジェクトおよび同種のものを採用することができる。
【００７３】
分散コンピューティング環境をサポートする様々なシステム、コンポーネント、およびネットワーク構成がある。例えば、コンピューティングシステムは、有線または無線システムにより、ローカルネットワークまたは広範囲に分散されたネットワークにより一緒に接続されることができる。現在、ネットワークの多くはインターネットに接続され、それは広範囲に分散されたコンピューティングのためのインフラストラクチャを提供し、多くの異なるネットワークを含む。この発明に従う最適化アルゴリズムおよびプロセスに付随して起こる例示通信のために任意のインフラストラクチャが使用されることができる。
【００７４】
ホームネットワーキング環境では、各々がパワーライン(Power line)データ（無線および有線の両方）、音声（例えば、電話）およびエンターテイメント媒体のようなユニークなプロトコルをサポートすることができる少なくとも４つの異種のネットワークトランスポートメディアがある。電灯のスイッチおよび電気製品のようなほとんどの家庭制御装置は、接続性のためにパワーラインを使用することができる。データサービスはブロードバンド（例えば、ＤＳＬまたはケーブルモデムのいずれか）として家庭に入ることができ、無線（例えば、HomeRFまたは８０２．１１Ａ／Ｂ／Ｇ）または有線（例えば、Ｈｏｍｅ  ＰＮＡ、Ｃａｔ５、イーサネット（登録商標）、even power line）接続性を用いて家庭内でアクセス可能にされる。音声トラヒックは、有線（例えば、Ｃａｔ３）または無線（例えば、携帯電話）として家庭に入ることができ、Ｃａｔ３ワイヤリング(wiring)を用いて家庭内で分散されることができる。エンターテイメントメディアまたはグラフィックデータは、衛星またはケーブルのいずれかを介して家庭に入ることができ、同軸ケーブルを用いて家庭内で典型的に分散される。ＩＥＥＥ１３９４およびＤＶＩはまたメディアデバイスのクラスタのためのデジタル相互接続である。これらのネットワーク環境およびプロトコル標準として出現することができる、またはすでに出現したその他はすべて、インターネットのようなワイドエリアネットワークの手段により外部世界に接続されることができるイントラネットのようなネットワークを形成するために相互接続されることができる。要するに、データの記憶と送信のためのさまざまな異種のソースが存在し、従って、このイノベーションの任意のコンピューティングデバイスは、任意の既存の方法でデータを共有し通信することができ、本明細書の実施形態に記載されたいずれの方法も限定するように意図されない。
【００７５】
インターネットは、一般に、コンピュータネットワーキングの技術においてよく知られている、数あるプロトコルのうちのトランスミッションコントロールプロトコル(Transmission Control Protocol)／インターネットプロトコル(Internet Protocol)（ＴＣＰ／ＩＰ）の組(suite)を利用するネットワークおよびゲートウエイの集合を指す。インターネットは、ユーザがネットワーク（複数の場合もある）を介して情報を相互作用し、共有することができるネットワーキングプロトコルを実行するコンピュータによって相互接続される地理的に分散されたリモートコンピュータネットワークのシステムとして記載されることができる。そのように広く拡散された情報共有のために、インターネットのようなリモートネットワークはこれまで、一般的には、デベロッパ(developers)が基本的に制限なしにある専門分野に特化したオペレーション又はサービスを実行するためのソフトウエアアプリケーションを実行することができるオープンシステムに進化してきた。
【００７６】
従って、ネットワークインフラストラクチャは、クライアント／サーバ、ピアツーピア(peer-to-peer)、またはハイブリッドアーキテクチャのようなネットワークトポロジのホストを可能にする。「クライアント」は、関連されていない他のクラス又はグループのサービスを使用する１つのクラスまたはグループのメンバである。従って、計算において、クライアントは、プロセス、すなわち、おおまかには、他のプログラムにより提供されるサービスを要求する命令またはタスクのセットである。クライアントプロセスは、他のプログラムまたはサービス自体についての任意のワーキングデテイル(working detail)を「知る」必要なしに要求されたサービスを利用する。クライアント／サーバアーキテクチャ、特にネットワーク化されたシステムにおいて、クライアントは、通常、他のコンピュータ、例えばサーバにより供給される共有されたネットワークリソースをアクセスするコンピュータである。図６の説明図において、一例として、環境に依存して、任意のコンピュータをクライアント、サーバ、またはそれらの両方と考えることができるけれども、コンピュータ６２０ａ、６２０ｂ、６２０ｃ、６２０ｄ、６２０ｅ等はクライアントとして考えることができ、コンピュータ６１０ａ、６１０ｂ、等はサーバとして考えることができる。ここにおいて、サーバ６１０ａ、６１０ｂ等はクライアントコンピュータ６２０ａ、６２０ｂ、６２０ｃ、６２０ｄ、６２０ｅ等に複製されるデータを維持する。任意のこれらのコンピューティングデバイスは、少なくとも１つの汎用の限定されない実施形態に従う最適化アルゴリズムおよびプロセスに関係することができるプロセシングデータ(processing data)またはリクエスティングサービス(requesting service)であり得る。
【００７７】
サーバは、典型的に、インターネットまたは無線ネットワークインフラストラクチャのようなリモートまたはローカルネットワークを介してアクセス可能なリモートコンピュータシステムである。クライアントプロセスは、通信媒体を介して互いに通信している、第１のコンピュータシステムにおいて達成されることができ、サーバプロセスは、第２のコンピュータシステムにおいて達成されることができ、従って分散された機能性を提供し、複数のクライアントがサーバの情報収集能力を利用することができる。少なくとも１つの汎用の限定されない実施形態の最適化アルゴリズムおよびプロセスに従って利用される任意のソフトウエアオブジェクトは、複数のコンピューティングデバイスまたはオブジェクトにまたがって分散されることができる。
【００７８】
クライアント（複数の場合もある）およびサーバ（複数の場合もある）は、プロトコルレイヤ（複数の場合もある）により提供される機能性を利用して互いに通信する。例えば、ハイパーテキストトランスファープロトコル(HyperText Transfer Protocol）（ＨＴＴＰ）は、ワールドワイドウエブ(World Wide Web)（ＷＷＷ）または「Ｗｅｂ」と一緒に使用される共通のプロトコルである。典型的に、インターネットプロトコル（ＩＰ）アドレスまたはユニバーサルリソースロケータ(Universal Resource Locator)（ＵＲＬ）のような他のリファレンスのようなコンピュータネットワークアドレスは、互いにサーバまたはクライアントコンピュータを特定するために使用されることができる。ネットワークアドレスは、ＵＲＬアドレスと呼ぶことができる。通信は、通信媒体を介して提供されることができる。例えば、クライアント（複数の場合もある）およびサーバ（複数の場合もある）は大容量通信のためのＴＣＰ／ＩＰ接続（複数の場合もある）を介して互いに接続されることができる。
【００７９】
従って、図６は、ネットワーク／バスを介してサーバ（複数の場合もある）がクライアントコンピュータ（複数の場合もある）と通信しており、本明細書で記載されたＰＡＲバッキングオフが採用されることができる例示ネットワーク化されたまたは分散された環境を示す。より詳細には、この発明に従って、多数のサーバ６１０ａ、６１０ｂ等が、ＬＡＮ、ＷＡＮ、イントラネット、ＧＳＭネットワーク、インターネット等であり得る通信ネットワーク／バス６４０を介して、ポータブルコンピュータ、ハンドヘルドコンピュータ、シンクライアント(thin client)、ネットワーク化された電化製品、または、ＶＣＲ、ＴＶ、オーブン、ライト、ヒータ及び同種のもののような他の装置のような多数のクライアントまたはリモートコンピューティングデバイス６２０ａ、６２０ｂ、６２０ｃ、６２０ｄ、６２０ｅ等と相互接続される。従って、ネットワークを介してデータを通信することが望ましいことに関連した任意のコンピューティングデバイスに適用可能である。
【００８０】
通信ネットワーク／バス６４０がインターネットであるネットワーク環境において、例えば、サーバ６１０ａ、６１０ｂ等は、ＨＴＴＰのような任意の数の既知のプロトコルを介してクライアント６２０ａ、６２０ｂ、６２０ｃ、６２０ｄ、６２０ｅ等が通信するＷｅｂサーバであり得る。分散コンピューティング環境の特徴であり得るように、サーバ６１０ａ、６１０ｂ等はまたクライアント６２０ａ、６２０ｂ、６２０ｃ、６２３０ｄ、６２０ｅ等として機能することができる。
【００８１】
述べたように、通信は必要に応じて、有線または無線またはそれらの組み合わせであり得る。クライアントデバイス６２０ａ、６２０ｂ、６２０ｃ、６２０ｄ、６２０ｅ等は、通信ネットワーク／バス６４０を介して通信することが出来るまたは出来ず、それらに関連した独立した通信を持つことが出来る。例えば、ＴＶまたはＶＣＲの場合に、それらの制御に対するネットワーク化された態様（aspect)があり得るまたはあり得ない。各クライアントコンピュータ６２０ａ、６２０ｂ、６２０ｃ、６２０ｄ、６２０ｅ等およびサーバコンピュータ６１０ａ、６１０ｂ等は、種々のアプリケーションプログラムモジュールまたはオブジェクト６３５ａ、６３５ｂ、６３５ｃ等を備えることができ、ファイルまたはデータストリームが記憶されるまたはファイルまたはデータストリームの一部（複数の場合もある）がダウンロードされ、送信され、移動されることができる、種々のタイプの記憶素子またはオブジェクトへの接続またはアクセスを備えることができる。任意の１つまたは複数のコンピュータ６１０ａ、６１０ｂ、６２０ａ、６２０ｂ、６２０ｃ、６２０ｄ、６２０ｅ等は、少なくとも１つの汎用の限定されない実施形態に従って処理されたまたはセーブされたデータを記憶するためのデータベースまたはメモリ６３０のようなデータベース６３０または他の記憶素子の維持と更新を担うことができる。したがって、このイノベーションは、クライアントコンピュータ６２０ａ、６２０ｂ、６２０ｃ、６２０ｄ、６２０ｅ等と相互作用することができるサーバコンピュータ６１０ａ、６１０ｂ等およびコンピュータネットワーク／バス６４０とアクセスし相互作用することができるクライアントコンピュータ６２０ａ、６２０ｂ、６２０ｃ、６２０ｄ、６２０ｅ等を有するコンピュータネットワーク環境において利用されることができる。
【００８２】
図７は、本明細書において記載されたＰＡＲバッキングオフの１つまたは複数の観点とともに利用されてもよいような複数の端末７２０と複数の基地局７１０を有した無線通信システム７００を示す。基地局は一般には、端末と通信する固定局であり、また、アクセスポイント、ノードＢ、またはその他の用語で呼ばれてもよい。各基地局７１０は、７０２ａ、７０２ｂ、および７０２ｃのラベルが付された３つの地理的エリアとして示される特定の地理的エリアのための通信サービスエリア1(coverage)を提供する。「セル」という用語は、その用語が使用される文脈に依存して基地局および／またはそのサービスエリアを指すことができる。システム容量を改善するために、基地局サービスエリアは、複数のより小さなエリア７０４ａ、７０４ｂ、７０４ｃ（例えば、図７のセル７０２ａに従う、３つのより小さなエリア）に分割されてもよい。より小さなエリアの各々は、ベーストランシーバサブシステム（ＢＴＳ）によりサービスされることができる。「セクタ」という用語は、その用語が使用される文脈に依存してＢＴＳおよび／またはそのサービスエリアを指すことができる。セクタ化されたセルの場合、そのセルのすべてのセクタのためのＢＴＳｓは典型的にそのセルのための基地局内の同一場所に配置される。本明細書において記載された送信技術は、セクタ化されたセルを有したシステム並びにセクタ化されていないセルを有したシステムに対して使用されてもよい。簡単にするために、以下の記載では、「基地局」という用語は、一般にセクタにサービスする固定局並びにセルにサービスする固定局に対して使用される。
【００８３】
端末７２０は典型的に、システム全体にわたって分散され、各端末は固定であってもよいし、またはモバイルであってもよい。端末はまたモバイルステーション、ユーザ機器、ユーザデバイス、またはその他の用語で呼ばれてもよい。端末は、無線デバイス、形態電話、パーソナルデジタルアシスタント（ＰＤＡ）、無線モデムカード等であってもよい。各端末７２０は、いつでもダウンリンクおよびアップリンク上のゼロ、１つ、または複数の基地局と通信してもよい。ダウンリンク（またはフォワードリンク）は基地局から端末への通信リンクを指し、アップリンク（またはリバースリンク）は端末から基地局への通信リンクを指す。
【００８４】
中央集中アーキテクチャの場合、システムコントローラ７３０は基地局７１０に接続し、基地局７１０のための調整と制御を提供する。分散アーキテクチャの場合、基地局７１０は必要に応じて互いに通信してもよい。フォワードリンク上のデータ送信は、フォワードリンクおよび／または通信システムによりサポートすることができる最大データレートでまたはその付近で１つのアクセスポイントから１つのアクセス端末に生じる。フォワードリンクのさらなるチャネル（例えば、コントロールチャネル）は、複数のアクセスポイントから１つのアクセス端末に送信されてもよい。リバースリンクデータ通信は、１つのアクセス端末から１つのアクセスポイントに生じてもよい。
【００８５】
図８は、本明細書において記載されたＰＡＲバッキングオフの種々の観点に従うアドホック(ad hoc)または計画されていない／半分計画された無線通信環境８００の説明図である。システム８００は、互いに、および／または１つ又は複数のモバイルデバイス８０４に対して無線通信信号を受信し、送信し、反復等をする１つまたは複数のセクタに１つまたは複数の基地局８０２を含むことができる。図示するように、各基地局８０２は、８０６ａ、８０６ｂ、８０６ｃのラベルが付された３つの地理的エリアとして図示される特定の地理的エリアのための通信サービスエリアを提供することができる。当業者により理解されるであろうように、各基地局８０２は、送信チェーンと受信チェーンを含むことができ、それらの各々は、信号送信および受信に関連した複数のコンポーネント（例えば、プロセッサ、変調器、マルチプレクサ、復調器、デマルチプレクサ、アンテナ等）を含むことができる。モバイルデバイス８０４は、例えば、携帯電話、スマートフォン、ラップトップ、ハンドヘルド通信デバイス、ハンドヘルドコンピューティングデバイス、サテライトラジオ、グローバルポジショニングシステム、ＰＤＡｓ、および／または無線ネットワーク８００を介した通信のための任意の他の適切な装置であってもよい。システム８００は、ＰＡＲバックオフが１つの例示的な限定されない実施形態において実施されるために本明細書において記載された種々の観点とともに採用されることができる。
【００８６】
図９は、９０２においてＰＡＲバックオフを受信することを含む方法９００を示す。９０４において、ＰＡのような電力値を決定するために受信されたＰＡＲバックオフ値が適用される。９０６において、ＰＡＲバックオフ値は、すくなくとも部分的に変調タイプに基づいている。９０８において、ＵＬ送信のためのレートが決定される。９１０において、ＰＡＲは少なくとも部分的に変調タイプに基づいており、ＱＰＳＫの場合よりもＱＡＭの場合のほうが多い。
【００８７】
実施形態が、ソフトウエア、ファームウエア、ミドルウエア、またはマイクロコード、プログラムコード、またはコードセグメントで実施されるとき、それらは、ストレージコンポーネントのような機械読み取り可能媒体に記憶されてもよい。コードセグメントは、手続、機能、サブプログラム、プログラム、ルーチン、サブルーチン、モジュール、ソフトウエアパッケージ、クラス、または命令、データ構造またはプログラムステートの任意の組み合わせを表してもよい。コードセグメントは、情報、データ、アーギュメント(argument)、パラメータまたはメモリコンテンツを渡すおよび／または受信することにより他のコードセグメントまたはハードウエア回路に接続されてもよい。情報、アーギュメント、パラメータ、データ等は、メモリシェアリング、メッセージパッシング(message passing)、トークンパッシング(token passing)、ネットワーク送信等を含む任意の適切な手段を用いて、パスされ、送られ、送信されてもよい。
【００８８】
ソフトウエア実施の場合、本明細書に記載された技術は、本明細書に記載された機能を実行するモジュール（例えば、手続、機能等）を用いて実施されてもよい。ソフトウエアコードはメモリユニットに記憶されプロセッサにより実行されてもよい。メモリユニットはプロセッサ内部で実施されてもよいし、またはプロセッサ外部で実施されてもよい。その場合、メモリプロセッサは技術的に知られている種々の手段を介してプロセッサに通信可能に接続されることができる。
【００８９】
モバイルデバイスはフェムトセル(femtocell)またはブーマセル(boomer cell)を採用することによりブロードキャストされることができる。フェムトセルはもともとは、アクセスポイント基地局と呼ばれ、電気通信インフラストラクチャの主要なコンポーネントのすべてを包含することにより典型的な基地局を拡張するスケーラブル(scalable)な、マルチチャネル、双方向通信装置である。典型的な例は、インターネットまたはイントラネットへのイーサネットまたはブロードバンド接続（一般的ではないが、ＡＴＭ／ＴＤＭ）のみを有した、ノードＢ、ＲＮＣ、ＧＳＮを含むＵＭＴＳアクセスポイント基地局である。
【００９０】
ＶｏＩＰのアプリケーションはそのようなユニットが通常の基地局と同じ方法で、しかしＷｉ−Ｆｉアクセスポイントの配備容易性により音声とデータサービスを提供可能である。他の例はＣＤＭＡ−２０００およびＷｉＭＡＸソリューション(solutions)を含む。
【００９１】
アクセスポイント基地局の主な利点は、超低価格のスケーラブル(scalable)は配備の容易性である。設計検討は、そのようなユニットをフルスケール基地局にインストールすることによりアクセスポイント基地局がホットスポット(hot-spot)サービスエリアから大型配備(large deployments)までスケールするように設計されることができることを示した。セルラオペレータのためのクレームされたアトラクション(attraction)は、これらの装置が設備投資(Capital expenditure)と営業費(Operating expenditure)の両方を増加させることができることである。
【００９２】
アクセスポイント基地局は、ホットスポット、ビル内、および家庭内にさえも典型的に配備されるスタンドアロンユニット(stand-alone unit)である。バリエイション(variation)は、Ｗｉ−Ｆｉホットスポットがセルラホットスポットのための迂回中継(backhaul)として作動する、またはその逆も同様であることを可能にするためにＷｉ−Ｆｉルータを取り付けることを含む。フェムトセル(Femtocells)は、固定モバイルコンバージェンス(Fixed Mobile Convergence)の利益を供給するための代替的な方法である。違いは、ほとんどのＦＭＣアーキテクチャは、あたらしい（デュアルモード）ハンドセットを必要とするのに対して、フェムトセルベース配備は、既存のハンドセットを用いて動作するであろう。
【００９３】
この結果、アクセスポイント基地局は、既存のＲＡＮ技術に準拠したハンドセットと連携しなければならない。さらなるフェムトセル送信機は多数の干渉ソースを意味し、潜在的に既存の配備に対する深刻な操作上の課題を生じるので、既存のＲＡＮ技術の再使用（および潜在的に既存の周波数チャネルの再使用）は、問題を引き起こすこともあり得る。これは、それらが成功することである場合、femtocellsが克服するに違いない最も大きなエリアのうちの1つです。
【００９４】
アクセスポイント基地局は接続のためにインターネットに典型的に依存する。それは、潜在的に配備コストを低減することができるけれども、典型的なセルラシステムには一般に存在しないセキュリティリスクを招く。ブーマーセル(boomer cell)は州(state)サイズのエリアまたはそれより大きなエリアをカバーするであろう非常に大きなセルである。
【００９５】
図１０は、１００２において、１つのアンテナからのチャネル品質インデックス（ＣＱＩ）が基準信号として電力制御される方法１０００を示す。１００４において、少なくとも１つのチャネル条件を導き出す。１００６において、少なくとも一部分は、複数のブロードバンドパイロットに基づいて少なくとも１つのチャネル条件を導き出す。１００８において、少なくとも一部分はリクエストチャネルに基づいて少なくとも１つのチャネル条件を導き出す。何を導き出すかおよびどのように導き出すかについての決定は、ＡＩレイヤの採用を通して行なわれることができる。さらに、セキュリティレイヤ(security layer)を有したまたは有さない他の実施形態において、セルは、少なくとも一部はＡＩ決定(AI decision)に基づいてダイナミックに導出を変更することができる。センサーはその決定を支援するためのフィードバックを供給することができる。例えば、センサーは特定の時刻におけるネットワーク条件を決定することができ、干渉の数および／またはロケーションを変更することができる。
【００９６】
図１１は、１１０４において、ソースノードＢがモバイルデバイスと通信している方法１１００を示す。１つの例示的な一般化された限定されない実施形態において、方法１０００は１００６においてセキュリティレイヤを採用することを含む。１１０８において、パワーアロケーション(power allocation)（ＰＡ）、パワー対アベレージ比(Power to Average ratio)（ＰＡＲ）、およびパワースペクトル密度（ＰＳＤ）の少なくとも１つは本明細書において記載されるようにダイナミックに変更または調節される。
【００９７】
デバイス１１０４とノードＢとの間の通信の少なくとも一部は無線であるので、セキュリティレイヤ１１０６は１つの例示的な一般化された限定されない実施形態に供給される。セキュリティレイヤ１１０６はデータを暗号的に保護する（例えば、暗号化する）並びにデータにデジタル的に署名する、セキュリティを高めるために、および望まれない、意図的でないまたは悪意のある開示のために使用されることができる。オペレーションでは、セキュリティコンポーネントまたはレイヤ１１０６は、ノードＢ１１０２およびモバイルデバイス１１０４に／からデータを通信することができる。センサー１１１０は、１つの例示的な限定されない実施形態に提供される。
【００９８】
暗号化コンポーネントは、送信期間中並びに記憶されている間暗号的にデータを保護するために使用されることができる。暗号化コンポーネントは、セキュリティの目的のためにデータをエンコードするための暗号化アルゴリズムを採用する。アルゴリズムは、本質的には、データを秘密コードに変えるのに使用される式(formula)である。各アルゴリズムは計算を実行するために「キー」として知られるビットのストリング(string)を使用する。キーがより大きいほど（例えば、キー内のビットがより多ければ）、より大きな数の潜在的なパターンが創り出されることができ、従って、コードを破ることおよびデータのコンテンツをデスクランブル(descramble)することをより難しくさせる。
【００９９】
ほとんどの暗号化アルゴリズムは典型的に長さが６４乃至１２８ビットである入力の固定ブロックをコード化するブロック暗号方法を使用する。復号コンポーネントは、暗号化されたデータをそのオリジナルフォーム(original form)に変換するために使用されることができる。１つの観点において、公開鍵は、ストレージデバイス(storage device)に送信する際にデータを暗号化するために使用されることができる。検索の際に、データは、暗号化するために使用された公開鍵に対応するプライベートキー(private key)を用いて復号されることができる。
【０１００】
シグナチャ(signature)コンポーネントは、デバイス１１０４から送信および／または検索するときにデータおよび文献をデジタル的に署名するために使用されることができる。デジタル署名または認証(certificate)は、あたかもそれが電子的に封印された封筒で運ばれたと同様にファイルが変更されなかったことを保証することが理解されるべきである。「署名」は、データの真性(authenticity)を確認するために使用される暗号化されたダイジェスト(digest)（例えば、一方向性ハッシュ関数）である。データをアクセスする際に、受取人は、ダイジェストを復号することができ、また、受信したファイルまたはデータからダイジェストを再計算することができる。ダイジェストが一致するなら、ファイルは、変わっておらず、改ざんされていないことが証明される。オペレーションでは、認証局により発行されたデジタル証明書は、ほとんどの場合、デジタル署名の真性を保証するために使用される。
【０１０１】
さらに、セキュリティレイヤ１１０６はセキュリティを高めるために、状況認識(contextual awareness)（例えば、状況認識コンポーネント(context awareness component)を採用することができる。例えば、状況認識コンポーネントは、デバイス１１０４に送信されたおよびデバイス１１０４から要求されたデータに関連する基準(criteria)を監視し検出するために採用されることができる。オペレーションにおいて、これらの文脈ファクタ(contextual factors)は、スパム(spam)をフィルタするために、検索を制御するために（例えば、パブリックネットワークから高度の極秘データ(highly sensitive data)をアクセスする）、または同様のもののために使用されることができる。複数の観点において、状況認識コンポーネントは、外部の基準およびファクタに従ってデータの送信および／または検索を制限する(regulates)ロジックを採用することができる。状況認識使用(contextual awareness employment)は、人工知能（ＡＩ）レイヤに関連して使用されることができる。
【０１０２】
ＡＩレイヤまたはコンポーネントは、いつ、どこで、どのようにして、セキュリティのレベルをダイナミックに変化させるかおよび／または変化している電力値の量を推測しおよび／または決定することを用にするために採用されることができる。そのような推定は、イベントが一時的な近接近(close temporal proximity)に相関されているか否かに関わらず、およびイベントおよびデータが１つまたはいくつかのイベント（複数の場合もある）およびデータソース（複数の場合もある）に由来する(come from)か否かにかかわらず、観察されたイベントのセットおよび／または記憶されたイベントデータのセットから新しいイベントまたはアクション(actions)の創出(construction)を生じる。
【０１０３】
ＡＩコンポーネントはまた本明細書に記載されたイノベーションのさまざまな観点を容易にすることに関連したさまざまな適切なＡＩベーススキーム(AI-based scheme)のいずれかを採用することができる。分類(classification)は、自動的に実行されることをユーザが望んでいるアクションを予知または推測するために確率的なおよび／または統計に基づいた解析(statistical-based analysis)（例えば、解析ユーティリティおよびコストを考慮に入れる(factoring into)）を採用することができる。ＡＩレイヤは、転送されているデータ内の変化を推測するために、およびどのレベルのセキュリティを適用すべきかに関してセキュリティレイヤに推奨するためにセキュリティレイヤと連動して使用されることができる。
【０１０４】
例えば、サポートベクタマシン（ＳＶＭ）分類器(classifier)が採用されることができる。ベイジアンネットワーク(Bayesian networks)、決定木(decision tree)および異なるパターンのインデペンデンス(different patterns of independence)を提供する確立分類モデル(probabilistic classification models)を含む他の分類アプローチが採用されることができる。本明細書において使用される分類はまた、プライオリティのモデル(models of priority)を開発するために利用される統計的回帰(statistical regression)を含む。
【０１０５】
さらに、セキュリティレイヤ１１０６と連動してセンサ１１１０が採用されることができる。さらに、ヒューマンオーセンティケーションファクタ(human authentication factors)が、センサ１１１０を採用したセキュリティを高めるために採用されることができる。例えば、保管金庫(storage vault)のアクセスをコントロールするためのオーセンティケーション(authentication)を高めるために、バイオメトリクス(biometrics)（例えば、指紋、網膜パターン、顔認識、ＤＮＡ配列、筆跡鑑定、音声認識）が採用されることができる。実施形態は、ユーザのアイデンティティ(identity)を認証する際に、複数のファクタテスト(factor tests)を採用することができることが理解されるであろう。
【０１０６】
センサ１１１０はまた、電磁場条件データまたは予測された気象データ等のような一般化された非人的測定基準データ(generalized non-human metric data)をセキュリティレイヤ１１０６に供給するために使用されることができる。例えば、任意の考えられる条件が検出されることができ、セキュリティレベルは、検出された条件に応答して調節されまたは決定されることができる。
【０１０７】
図１２は、ソースノードＢ１２０２のようなノードＢが１２０４のモバイルデバイスと通信している環境１２００を示す。１つの例示的な一般化された限定されない実施形態において、方法は、１２０６のオプティマイザ(optimizer)を採用することを含む。オプティマイザ１２０６はノードＢ１２０２とデバイス１２０４との間の通信を最適化するために提供される。オプティマイザ１２０６は、セキュリティレイヤ１２０８からセキュリティ情報を受信することによりノードＢ１２０２とデバイス１２０４との間の通信を最適化または増大させる。例えば、セキュリティレイヤ１２０８がオプティマイザ１２０６に対してそれらが両方とも安全な環境にいることを伝えるとき、オプティマイザ１２０６はこの情報を他の情報とバランスをとり、トップスピードを達成するために、セキュリティレイヤ１２０８にすべての送信セキュリティをフリー(free)にさせてもよい。さらに、フィードバックレイヤまたはコンポーネント１２１０は、オプティマイザ１２０６にフィードバックを供給するために紛失されたデータパケットまたは他の情報に関するフィードバックを供給することができる。紛失されたパケットのこのフィードバックは、所望であれば、安全性は少ないがより高いスループットのデータ転送を可能にするために所望のセキュリティレベルに対してバランスされることができる。さらに、オプティマイザ１２０６は干渉および異なるＰＡＲバックオフスキームの記録をとることができ、現在の条件の下で最良のスキームを適応的に選択することができる。
【０１０８】
上述したように、イノベーションは、データを、例えばモバイルデバイスに通信することが望ましい可能性がある任意のデバイスに適用する。それゆえ、すべての種類のハンドヘルド、ポータブル、および他のコンピューティングデバイスおよびコンピューティングオブジェクト(computing objects)は、このイノベーションに関連して、すなわち、デバイスがデータを通信することができる、またはそうでなければ、データを受信し、処理し、または記憶することができるどこでも、使用するように意図されることが理解されなければならない。従って、図１１において下記に記載された下記の汎用リモートコンピュータは１つの例であり、このイノベーションは、ネットワーク／バス相互運用および相互作用を有する任意のクライアントにより実施されることができる。したがって、このイノベーションは、ほんの少しのまたは最小のクライアントリソースが関係しているネットワークホストサービスの環境、例えば、クライアントデバイスが、電化製品内に設置されたオブジェクト(object)のようなネットワーク／バスへのインターフェースとして単に機能するネットワーク環境において実施されることができる。
【０１０９】
必要としないけれども、デバイスまたはオブジェクトのためのサービスおよび／または少なくとも１つの一般化された限定されない実施形態のコンポーネント（複数の場合もある）に関連して動作するアプリケーションソフトウエア内に含まれるサービスの開発者により使用するようにオペレーティングシステムを介して部分的に実施されることができる。ソフトウエアは、クライアントワークステーション、サーバ、または他のデバイスのような１つまたは複数のコンピュータにより実行されるプログラムモジュールのようなコンピュータ実行可能な命令の一般的なコンテキスト(context)において記載されることができる。当業者は、イノベーションが他のコンピュータシステム構成およびプロトコルを用いて実施されることができることを理解するであろう。
【０１１０】
図１３、１４、１５は、それぞれグラフ１３００、１４００、１５００において、表１において特定された変調を有したＬＦＤＭおよびＯＦＤＭのためのＰＡＲシミュレーション結果を提示する。これらの結果は、ＳＣ−ＦＤＭの場合の９９．９％ポイントにおいて、６４ＱＡＭとＱＰＳＫとの間で、または１６ＱＡＭとＱＰＳＫとの間でおよそ１ｄＢのＰＡＲ差があることを示す。６４ＱＡＭと１６ＱＡＭとの間のＰＡＲ差はやや小さい。ローカライズされたＯＦＤＭの場合、ＰＡＲの差はすべての変調に対して小さい。これは、ＬＦＤＭをＯＦＤＭと比較する顕著なＰＡＲ減少である。この差は、ＱＰＳＫの場合およそ２．５ｄＢであり、１６ＱＡＭおよび６４ＱＡＭの場合およそ１．８ｄＢである。図１３は、１６ＱＡＭとＱＰＳＫの場合のＬＦＤＭに関するＰＡＲを示す。図１４は、６４ＱＡＭとＱＰＳＫの場合におけるＬＦＤＭに関するＰＡＲを示す。図１５は、６４ＱＡＭと１６ＱＡＭの場合のＬＦＤＭに関するＰＡＲを示す。ＰＡＲＣを用いたＭＩＭＯ送信の場合、異なるストリーム間のＰＡＲ差は、１ｄＢより大きくなり得る。ＶＡＰのようなアンテナパーミュテイション(permutation)を用いたＭＩＭＯ送信の場合、ＰＡＲは、より高い変調次数(order)のＰＡＲに向けたバイアスを有した２つの変調のＰＡＲ間にある。ここにおいて、より高いオーダーの変調は、通常４またはそれより高いオーダーを有するデジタル変調の１つのタイプである。例:四相位相変調（ＱＰＳＫ）、ｍ進(m-ary)直交位相変調（m-QAM)等。
【０１１１】
上述の記載から、ＵＥがノードＢに対してデルタＰＳＤをフィードバックするとき、あるＰＡＲバックオフが考慮されることがＵＥとノードＢの両方から明瞭でなければならない。これは、ＭＩＭＯオペレーションの場合だけでなく、ＳＩＭＯまたはＳＩＳＯオペレーションの場合にも適用可能である。例えば、ＱＰＳＫ伝送の際に、ＵＥがＰＡＲバックオフを想定してデルタＰＳＤをリポート(reports back)した場合、ノードＢは、想定された正確なバックオフを知らなければならない。ノードＢがＰＡバックオフ調節をしないで、１６ＱＡＭの変調コーディングスキーム（ＭＣＳ）をスケジュールするなら、スケジュールされたレートは、ＵＥが実際にサポートすることができるよりも高くなるであろう。これは、不必要なパケット再送信およびスループットの損失をもたらすであろう。
【０１１２】
適切にシステムを動作させるためには、ＭＩＭＯオペレーションおよびＳＩＭＯオペレーションの両方に対してＵＥからノードＢにデルタＰＳＤがフィードバックされるとき、どんなＰＡＲバックオフが想定されているを標準仕様で明確に定義されなければならない。そのような定義の１つは、ＱＰＳＫ  ＰＡＲバックオフを想定した、または１６ＱＡＭ  ＰＡＲバックオフを想定したデルタＰＳＤをＵＥがフィードバックしなければならないということかもしれない。スケジューラは、デルタＰＳＤに基づいてＭＣＳを選択する。変調次数が、想定された変調次数と異なるなら、ＰＡＲ差を考慮に入れる必要があり、そのかわりに異なるＭＣＳが選択されてもよい。ＳＩＭＯとＭＩＭＯオペレーションのための種々の変調のためのＰＡＲ差は、上に明記されている。
【０１１３】
本明細書に記載されたものは、ＵＬ送信のためにＬＦＤＭが使用されたときの種々のＭＩＭＯスキームにおけるＰＡＲバックオフ値の影響(impact)である。パーミューテーション(permutation)がＰＡＲＣのようなＭＩＭＯレイヤに適用されないとき、異なる変調次数のためのかなりＰＡＲ差がある。選択的バーチャルアンテナパーミューテーション(selective virtual antenna permutation)（Ｓ−ＶＡＰ）のようなシンボルレベルレイヤパーミューテーション(symbol level layer permutation)が適用されるなら、各レイヤのＰＡＲは、パーミューテーション前のレイヤのＰＡＲｓの平均値に近い。
【０１１４】
さらに、１つの観点において、ＳＩＭＯおよびＭＩＭＯオペレーションの両方に対して、ＵＥがデルタＰＳＤをリポートするとき、どんなタイプのＰＡＲバックオフかを標準規格において仕様を定めなければ成らない。この情報に基づいて、ノードＢは、差のＰＡＲバックオフ(differential PAR back off)を適切に適用し、ＵＬ送信のための正しいレートを選択することができるであろう。
【０１１５】
上述したものは、１つまたは複数の観点の例を含む。上述した観点を記載するためのコンポーネントと方法のすべての考えられる組み合わせを記載することはもちろん不可能であるけれども、当業者は、種々の観点の多くのさらなる組み合わせと置換が可能であることを認識するかもしれない。従って、記載された観点は、添付されたクレームの範囲に入るすべてのそのような代替、変更、変形を包含するように意図される。さらに、「含む(includes)」という用語が詳細な説明またはクレームのいずれかで使用される限りにおいて、そのような用語は、「含む(comprising)」がクレームにおける移行句として採用されるときに解釈されるように、用語"comprising"と同様の方法で含むように意図される。
以下に他の実施形態を示す。
［１］下記を具備する無線通信システムのための方法：
ＰＡＲバックオフ値を受信または記憶する；
送信電力値を決定するために前記受信されたＰＡＲバックオフ値を適用する。
［２］前記ＰＡＲバックオフ値は、少なくとも一部分変調タイプに基づいている、［１］の方法。
［３］ＵＬ送信のためのレートを決定することをさらに備えた、［１］の方法。
［４］前記ＰＡＲバックオフ値は、少なくとも一部分変調タイプに基づいており、ＱＰＳＫ変調よりも高いオーダーのＱＡＭ変調に対して大きい、［１］の方法。
［５］前記ＰＡＲバックオフ値は、少なくとも一部分変調タイプに基づいており、ＱＰＳＫ変調よりも１６ＱＡＭ変調に対して大きい、［１］の方法。
［６］前記ＰＡＲバックオフ値は、少なくとも一部分変調タイプに基づいており、ＱＰＳＫ変調よりも６４ＱＡＭ変調に対して大きい、［１］の方法。
［７］複数のＭＩＭＯストリームの各々に関する送信電力並びに異なるストリームのサポート可能なレートもまたユニタリ変換に依存する、［１］の方法。
［８］前記ユニタリ変換はバーチャルアンテナマッピングである、［７］の方法。
［９］前記ユニタリ変換は、アンテナパーミューテーション(antenna permutation)である、［７］の方法。
［１０］前記ユニタリ変換はＭＩＭＯプリコーディングマトリクス(precoding matrix)である、［７］の方法。
［１１］電力制御される１つのアンテナからのチャネル品質インデックス（ＣＱＩ）を基準信号として用いることをさらに備えた、［１］の方法。
［１２］少なくとも１つのチャネル条件を導き出すことをさらに備えた、［１１］の方法。
［１３］少なくとも一部分は要求チャネルに基づいて少なくとも１つのチャネル条件を導き出すことをさらに備えた、［１１］の方法。
［１４］少なくとも一部分は、複数のブロードバンドパイロットに基づいて少なくとも１つのチャネル条件を導き出すことをさらに備えた、［１１］の方法。
［１５］デルタＰＳＤをノードＢにリポートすることをさらに備えた、［１］の方法。
［１６］ポストＳＩＣ(post-SIC)信号対雑音比（ＳＮＲ）に基づいてユーザ間干渉の影響を受けないユーザの少なくとも１つのデータレートを計算することをさらに備えた、［１５］の方法。
［１７］ポストＳＩＣ(post-SIC)信号対雑音比（ＳＮＲ）に基づいてユーザ間干渉の影響を受けないユーザの少なくとも１つのデータレートを計算することをさらに備えた、［１５］の方法。
［１８］下記を具備する、無線通信システムのための方法：
ＰＡＲバックオフ値を送信または記憶する；
前記ＰＡＲバックオフ値を考慮してデルタＰＳＤをノードＢにリポートする。
［１９］下記を具備する、無線通信システムにおいて動作可能な装置：
ＰＡＲバックオフ値を受信しまたは記憶し、デルタＰＳＤを受信する手段；
電力値を決定するために前記ＰＡＲバックオフ値を適用する手段；
ＵＬ送信のためのレートを決定する手段。
［２０］機械により実行されるとき、前記機械に下記を含む動作を実行させる命令を備えた機械読み取り可能媒体：
ＰＡＲバックオフ値を受信または記憶し、デルタＰＳＤを受信する；
電力値を決定するために前記ＰＡＲバックオフ値を適用する；
ＵＬ送信のためのレートを決定する。
［２１］下記を具備する、無線通信システムにおいて動作可能な装置：
ＰＡＲバックオフ値を受信しまたは記憶し、デルタＰＳＤを受信し、電力値を決定するために前記受信されたＰＡＲバックオフ値を適用するように構成されたプロセッサ；
前記プロセッサに接続され、データを記憶するメモリ。
［２２］前記プロセッサは、少なくとも一部が変調タイプに基づくＰＡＲバックオフ値を受信または記憶するように構成される、［２１］の装置。
［２３］前記プロセッサは、ＵＬ送信のためのレートを決定するように構成される、［２１］の装置。
［２４］前記プロセッサは、少なくとも一部が変調タイプに基づき、ＱＰＳＫ変調よりも高いオーダのＱＡＭ変調の場合に、より大きいＰＡＲバックオフ値を受信し記憶するように構成される、［２１］の装置。
【図１】
0005453369.tif 000003
【図２】
0005453369.tif 000004
【図３】
0005453369.tif 000005
【図４】
0005453369.tif 000006
【図５】
0005453369.tif 000007
【図６】
0005453369.tif 000008
【図７】
0005453369.tif 000009
【図８】
0005453369.tif 000010
【図９】
0005453369.tif 000011
【図１０】
0005453369.tif 000012
【図１１】
0005453369.tif 000013
【図１２】
0005453369.tif 000014
【図１３】
0005453369.tif 000015
【図１４】
0005453369.tif 000016
【図１５】
0005453369.tif 000017